(57)【要約】【課題】光学系全長が比較的短く、諸収差が良好に補正されていながら、ズーム倍率が１０倍程度の高倍率な結像光学系及びそれを用いた電子撮像装置を提供する。【解決手段】物体側から順に、正の屈折力の第１レンズ群、負の屈折力の第２レンズ群、負の屈折力の第３レンズ群、全体として正の屈折力を有する後続レンズ群からなり、第３レンズ群は物体側から順に正レンズと負レンズからなる負の接合レンズのみで構成される。第３レンズ群の接合レンズの接合面が、像側に凸の形状であることが好ましい。【選択図】図１
2012008238.tif 000002
【特許請求の範囲】
【請求項１】
物体側から順に、正の屈折力の第１レンズ群、負の屈折力の第２レンズ群、負の屈折力の第３レンズ群、全体として正の屈折力を有する後続レンズ群からなり、
前記第３レンズ群は物体側から順に正レンズと負レンズからなる負の接合レンズのみで構成されることを特徴とする結像光学系。
【請求項２】
前記第３レンズ群の前記接合レンズの接合面が、像側に凸の形状であることを特徴とする請求項１に記載の結像光学系。
【請求項３】
前記第３レンズ群の前記接合レンズを構成する前記正レンズが、像側に凸面を向けたメニスカスレンズであることを特徴とする請求項１又は請求項２に記載の結像光学系。
【請求項４】
前記第３レンズ群の前記接合レンズを構成する前記正レンズのシェイピングファクタＳＦ３ｐが、条件式（１）を満たすことを特徴とする請求項１から請求項３のいずれか１項に記載の結像光学系。
２≦ＳＦ３ｐ≦１２  ・・・（１）
ここで、
ＳＦ３ｐ＝（ｒ１３ｐ＋ｒ２３ｐ）／（ｒ１３ｐ−ｒ２３ｐ）、
ｒ１３ｐは、前記第３レンズ群の前記接合レンズを構成する前記正レンズの物体側の面の曲率半径、
ｒ２３ｐは、前記第３レンズ群の前記接合レンズを構成する前記正レンズの像側の面の曲率半径、
である。
【請求項５】
前記第３レンズ群の前記接合レンズを構成する前記負レンズが、像側に凸面を向けたメニスカスレンズであることを特徴とする請求項１から請求項４のいずれか１項に記載の結像光学系。
【請求項６】
前記第３レンズ群の前記接合レンズを構成する前記負レンズのシェイピングファクタＳＦ３ｎが、条件式（２）を満たすことを特徴とする請求項１から請求項５のいずれか１項に記載の結像光学系。
−５≦ＳＦ３ｎ＜−１  ・・・（２）
ここで、
ＳＦ３ｎ＝（ｒ１３ｎ＋ｒ２３ｎ）／（ｒ１３ｎ−ｒ２３ｎ）、
ｒ１３ｎは、前記第３レンズ群の前記接合レンズを構成する前記負レンズの物体側の面の曲率半径、
ｒ２３ｎは、前記第３レンズ群の前記接合レンズを構成する前記負レンズの像側の面の曲率半径、
である。
【請求項７】
前記第３レンズ群の前記接合レンズの全ての面が像側に凸であることを特徴とする請求項１から請求項６のいずれか１項に記載の結像光学系。
【請求項８】
前記第３レンズ群の前記接合レンズを構成する前記正レンズと前記負レンズにおいて、前記正レンズの方が前記負レンズより屈折率が低いことを特徴とする請求項１から請求項７のいずれか１項に記載の結像光学系。
【請求項９】
前記第３レンズ群を光軸に沿って移動させて、近距離物体への合焦を行うことを特徴とする請求項１から請求項８のいずれか１項に記載の結像光学系。
【請求項１０】
前記第３レンズ群の前記接合レンズの最も物体側の面が非球面であることを特徴とする請求項１から請求項９のいずれか１項に記載の結像光学系。
【請求項１１】
前記接合レンズの前記最も物体側の面が、条件式（３）を満たすことを特徴とする請求項１０に記載の結像光学系。
０．０００１＜ＡＳＰ３１／ＥＲ＜０．００３  ・・・（３）
ここで、
ＡＳＰ３１は前記非球面の有効径における非球面量、
ＥＲは前記非球面の有効径、
である。
【請求項１２】
前記第３レンズ群の前記接合レンズの前記接合面が非球面であることを特徴とする請求項１から請求項１１のいずれか１項に記載の結像光学系。
【請求項１３】
前記接合レンズの前記接合面が、条件式（４）を満たすことを特徴とする請求項１２に記載の結像光学系。
０．９＜Ｐｅｒ／Ｐ０＜０．９９  ・・・（４）
ここで、
Ｐｅｒは前記非球面の有効径における局所的な屈折力、
Ｐ０は前記非球面の光軸上での屈折力、
である。
【請求項１４】
以下の条件式（５）を満たすことを特徴とする請求項１から請求項１３のいずれか１項に記載の結像光学系。
０．０５≦｜ｆ３｜／ｆｔ≦０．２５  ・・・（５）
ここで、
ｆ３は前記第３レンズ群の焦点距離、
ｆｔは望遠端における前記結像光学系の全系の焦点距離、
である。
【請求項１５】
請求項１から請求項１４のいずれか１項に記載の結像光学系を含むことを特徴とする電子撮像装置。
【発明の詳細な説明】
【技術分野】
【０００１】
本発明は、結像光学系及びそれを有する電子撮像装置に関するものである。
【背景技術】
【０００２】
近年、コンパクトカメラの高倍率化および薄型化が進んでいる。高倍率化のためには、各レンズ群の屈折力を強くしたり、変倍時の移動量を多くする必要がある。しかし、その際には収差の発生や光学系全長の伸長などが起こりやすくなる。
【０００３】
一方、コンパクトカメラでは非撮影時には光学系を沈胴させてカメラ筐体内に収納する場合が多く、カメラの薄型化のためには光学系の沈胴厚も薄くする必要がある。ここで、光学系を沈胴させるためには、光学系の鏡枠は複数の段に分割して伸び縮みできるようにする。この時、沈胴厚が薄くなると、分割した各鏡枠の長さも短くすることになる。したがって、沈胴させるときの段数が増えてしまう。これにより、光学系を長く伸ばしたときに鏡枠全体が重力で変形しやすくなり、光学系の偏心が起こりやすくなる。そのため、鏡枠の分割する間隔は短くしつつ、分割数も少なくするために、光学系の全長を短縮する必要がある。
【０００４】
これらの要求を満たすためには、結像性能を劣化させることなく光学系を高倍率化しつつ、光学系全長を短くすることが好ましい。そのような光学系としては、例えば、特許文献１に記載の光学系がある。この特許文献１に記載の光学系は、物体側から順に正、負、負、正、正のレンズ群を有するものである。負のレンズ群を２つ有して負レンズ群の屈折力を弱く構成することにより、レンズ全長を短くしつつ、結像性能の優れた高倍率結像光学系を実現している。
【先行技術文献】
【特許文献】
【０００５】
【特許文献１】特開平８−６８９４１号公報
【発明の概要】
【発明が解決しようとする課題】
【０００６】
しかしながら、特許文献１に記載の光学系ではズーム倍率が４倍程度であり、ズーム倍率を１０倍程度まで高倍率化すると、各レンズ群の間隔の変動を大きくしなければならず、全長が長くなってしまう。また、全長を短く保ったまま望遠端の焦点距離をさらに長くして高倍率化しようとすると、望遠端側で間隔が狭まる第３レンズ群と第４レンズ群の間隔をさらに狭くする必要があり、ズーム倍率を１０倍程度まで高倍率化することが困難である。
【０００７】
本発明は、このような従来技術の問題点に鑑みてなされたものであり、その目的は、光学系全長が比較的短く、諸収差が良好に補正されていながら、ズーム倍率が１０倍程度の高倍率な結像光学系及びそれを用いた電子撮像装置を提供することにある。
【課題を解決するための手段】
【０００８】
上述した課題を解決し、目的を達成するために、本発明に係る結像光学系は、物体側から順に、正の屈折力の第１レンズ群、負の屈折力の第２レンズ群、負の屈折力の第３レンズ群、全体として正の屈折力を有する後続レンズ群からなり、第３レンズ群は物体側から順に正レンズと負レンズからなる負の接合レンズのみで構成されることを特徴とする。
【０００９】
本発明に係る結像光学系においては、第３レンズ群の接合レンズの接合面が、像側に凸の形状であることが好ましい。
【００１０】
本発明に係る結像光学系においては、第３レンズ群の接合レンズを構成する正レンズが、像側に凸面を向けたメニスカスレンズであることが好ましい。
【００１１】
本発明に係る結像光学系においては、第３レンズ群の接合レンズを構成する正レンズのシェイピングファクタＳＦ３ｐが、条件式（１）を満たすことが好ましい。
２≦ＳＦ３ｐ≦１２  ・・・（１）
ここで、
ＳＦ３ｐ＝（ｒ１３ｐ＋ｒ２３ｐ）／（ｒ１３ｐ−ｒ２３ｐ）、
ｒ１３ｐは、第３レンズ群の接合レンズを構成する正レンズの物体側の面の曲率半径、
ｒ２３ｐは、第３レンズ群の接合レンズを構成する正レンズの像側の面の曲率半径、
である。
【００１２】
本発明に係る結像光学系においては、第３レンズ群の接合レンズを構成する負レンズが、像側に凸面を向けたメニスカスレンズであることが好ましい。
【００１３】
本発明に係る結像光学系においては、第３レンズ群の接合レンズを構成する負レンズのシェイピングファクタＳＦ３ｎが、条件式（２）を満たすことが好ましい。
−５≦ＳＦ３ｎ＜−１  ・・・（２）
ここで、
ＳＦ３ｎ＝（ｒ１３ｎ＋ｒ２３ｎ）／（ｒ１３ｎ−ｒ２３ｎ）、
ｒ１３ｎは、第３レンズ群の接合レンズを構成する負レンズの物体側の面の曲率半径、
ｒ２３ｎは、第３レンズ群の接合レンズを構成する負レンズの像側の面の曲率半径、
である。
【００１４】
本発明に係る結像光学系においては、第３レンズ群の接合レンズの全ての面が像側に凸であることが好ましい。
【００１５】
本発明に係る結像光学系においては、第３レンズ群の接合レンズを構成する正レンズと負レンズにおいて、正レンズの方が負レンズより屈折率が低いことが好ましい。
【００１６】
本発明に係る結像光学系においては、第３レンズ群を光軸に沿って移動させて、近距離物体への合焦を行うことが好ましい。
【００１７】
本発明に係る結像光学系においては、第３レンズ群の接合レンズの最も物体側の面が非球面であることが好ましい。
【００１８】
本発明に係る結像光学系においては、接合レンズの最も物体側の面が、条件式（３）を満たすことが好ましい。
０．０００１＜ＡＳＰ３１／ＥＲ＜０．００３  ・・・（３）
ここで、
ＡＳＰ３１は非球面の有効径における非球面量、
ＥＲは非球面の有効径、
である。
【００１９】
本発明に係る結像光学系においては、第３レンズ群の接合レンズの接合面が非球面であることが好ましい。
【００２０】
本発明に係る結像光学系においては、接合レンズの接合面が、条件式（４）を満たすことが好ましい。
０．９＜Ｐｅｒ／Ｐ０＜０．９９  ・・・（４）
ここで、
Ｐｅｒは非球面の有効径における局所的な屈折力、
Ｐ０は非球面の光軸上での屈折力、
である。
【００２１】
本発明に係る結像光学系においては、条件式（５）を満たすことが好ましい。
０．０５≦｜ｆ３｜／ｆｔ≦０．２５  ・・・（５）
ここで、
ｆ３は第３レンズ群の焦点距離、
ｆｔは望遠端における結像光学系の全系の焦点距離、
である。
【００２２】
本発明に係る電子撮像装置は、上述のいずれかの結像光学系を含むことを特徴とする。
【発明の効果】
【００２３】
本発明にかかる結像光学系及びそれを用いた電子撮像装置は、光学系全長が比較的短く、諸収差が良好に補正されていながら、ズーム倍率が１０倍程度の高倍率を実現できる、という効果を奏する。
【図面の簡単な説明】
【００２４】
【図１】本発明の実施例１にかかる結像光学系の（ａ）は広角端、（ｂ）は中間、（ｃ）は望遠端における無限遠物点合焦時の光学構成を示す光軸に沿う断面図である。
【図２】実施例１にかかる結像光学系の無限遠物点合焦時における球面収差、非点収差、歪曲収差、倍率色収差を示す図であり、（a）は広角端、（b）は中間、（c）は望遠端での状態を示している。
【図３】本発明の実施例２にかかる結像光学系の（ａ）は広角端、（ｂ）は中間、（ｃ）は望遠端における無限遠物点合焦時の光学構成を示す光軸に沿う断面図である。
【図４】実施例２にかかる結像光学系の無限遠物点合焦時における球面収差、非点収差、歪曲収差、倍率色収差を示す図であり、（a）は広角端、（b）は中間、（c）は望遠端での状態を示している。
【図５】本発明の実施例３にかかる結像光学系の（ａ）は広角端、（ｂ）は中間、（ｃ）は望遠端における無限遠物点合焦時の光学構成を示す光軸に沿う断面図である。
【図６】実施例３にかかる結像光学系の無限遠物点合焦時における球面収差、非点収差、歪曲収差、倍率色収差を示す図であり、（a）は広角端、（b）は中間、（c）は望遠端での状態を示している。
【図７】本発明の実施例４にかかる結像光学系の（ａ）は広角端、（ｂ）は中間、（ｃ）は望遠端における無限遠物点合焦時の光学構成を示す光軸に沿う断面図である。
【図８】実施例４にかかる結像光学系の無限遠物点合焦時における球面収差、非点収差、歪曲収差、倍率色収差を示す図であり、（a）は広角端、（b）は中間、（c）は望遠端での状態を示している。
【図９】本発明の実施例５にかかる結像光学系の（ａ）は広角端、（ｂ）は中間、（ｃ）は望遠端における無限遠物点合焦時の光学構成を示す光軸に沿う断面図である。
【図１０】実施例５にかかる結像光学系の無限遠物点合焦時における球面収差、非点収差、歪曲収差、倍率色収差を示す図であり、（a）は広角端、（b）は中間、（c）は望遠端での状態を示している。
【図１１】本発明の実施例６にかかる結像光学系の（ａ）は広角端、（ｂ）は中間、（ｃ）は望遠端における無限遠物点合焦時の光学構成を示す光軸に沿う断面図である。
【図１２】実施例６にかかる結像光学系の無限遠物点合焦時における球面収差、非点収差、歪曲収差、倍率色収差を示す図であり、（a）は広角端、（b）は中間、（c）は望遠端での状態を示している。
【図１３】本発明の実施例７にかかる結像光学系の（ａ）は広角端、（ｂ）は中間、（ｃ）は望遠端における無限遠物点合焦時の光学構成を示す光軸に沿う断面図である。
【図１４】実施例７にかかる結像光学系の無限遠物点合焦時における球面収差、非点収差、歪曲収差、倍率色収差を示す図であり、（a）は広角端、（b）は中間、（c）は望遠端での状態を示している。
【図１５】本発明の実施例８にかかる結像光学系の（ａ）は広角端、（ｂ）は中間、（ｃ）は望遠端における無限遠物点合焦時の光学構成を示す光軸に沿う断面図である。
【図１６】実施例８にかかる結像光学系の無限遠物点合焦時における球面収差、非点収差、歪曲収差、倍率色収差を示す図であり、（a）は広角端、（b）は中間、（c）は望遠端での状態を示している。
【図１７】本発明の実施例９にかかる結像光学系の（ａ）は広角端、（ｂ）は中間、（ｃ）は望遠端における無限遠物点合焦時の光学構成を示す光軸に沿う断面図である。
【図１８】実施例９にかかる結像光学系の無限遠物点合焦時における球面収差、非点収差、歪曲収差、倍率色収差を示す図であり、（a）は広角端、（b）は中間、（c）は望遠端での状態を示している。
【図１９】本発明の実施例１０にかかる結像光学系の（ａ）は広角端、（ｂ）は中間、（ｃ）は望遠端における無限遠物点合焦時の光学構成を示す光軸に沿う断面図である。
【図２０】実施例１０にかかる結像光学系の無限遠物点合焦時における球面収差、非点収差、歪曲収差、倍率色収差を示す図であり、（a）は広角端、（b）は中間、（c）は望遠端での状態を示している。
【図２１】本発明による結像光学系を組み込んだデジタルカメラ４０の外観を示す前方斜視図である。
【図２２】デジタルカメラ４０の後方斜視図である。
【図２３】デジタルカメラ４０の光学構成を示す断面図である。
【図２４】本発明の結像光学系が対物光学系として内蔵された情報処理装置の一例であるパソコン３００のカバーを開いた状態の前方斜視図である。
【図２５】パソコン３００の撮影光学系３０３の断面図である。
【図２６】パソコン３００の側面図である。
【図２７】本発明の結像光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００２５】
まず、実施例の説明に先立ち、本実施形態の結像光学系の作用効果について説明する。
【００２６】
本発明に係る結像光学系は、物体側から順に、正の屈折力の第１レンズ群、負の屈折力の第２レンズ群、負の屈折力の第３レンズ群、全体として正の屈折力を有する後続レンズ群からなり、第３レンズ群は物体側から順に正レンズと負レンズからなる負の接合レンズのみで構成されることを特徴としている。
【００２７】
第３レンズ群が物体側から順に正レンズ、負レンズからなる負の接合レンズのみで構成されているため、負レンズの方が物体側にある場合に比べ、第３レンズ群の負の主点が像側に寄る。すると、第３レンズ群の主点と、第３レンズ群の像側に位置する後続レンズ群の主点とをより近づけることができ、望遠端の焦点距離をより長くしてズーム倍率をより高くすることができる。この際、第３レンズ群とその像側の群との間隔をより近づけることで高倍率化するため、光学系全長が長くなったり、各群の屈折力が強くなって大きな収差が発生したりすることを防ぐことができる。
【００２８】
したがって、以上のように、物体側から順に、正の屈折力の第１レンズ群、負の屈折力の第２レンズ群、負の屈折力の第３レンズ群、全体として正の屈折力を有する後続レンズ群からなり、第３レンズ群が物体側から順に正レンズ、負レンズからなる負の接合レンズのみで構成されていると、光学系全長が比較的短く、かつ大きな収差を発生させずに、よりズーム倍率を高倍率化することができ、高画質な画像を得られる高倍率で薄型なカメラを得ることができる。
【００２９】
本発明に係る結像光学系においては、第３レンズ群の接合レンズの接合面が、像側に凸の形状であることが好ましい。
第２レンズ群、第３レンズ群がともに負群であるため、第３レンズ群において光束は広がり、光軸から離れる方向に各光線が進む。このとき、第３レンズ群の接合レンズの接合面が、像側に凸の形状であると、接合面の法線と、接合面を横切る光線のなす角が小さくなり、接合面での諸収差の発生を小さく抑えられる。
【００３０】
したがって、以上のように第３レンズ群の接合レンズの接合面が像側に凸の形状であると、接合面で発生する諸収差を小さく抑えられ、より高画質な画像を得られるカメラを得ることができる。
【００３１】
本発明に係る結像光学系においては、第３レンズ群の接合レンズを構成する正レンズが、像側に凸面を向けたメニスカスレンズであることが好ましい。
第２レンズ群、第３レンズ群がともに負群であるため、第３レンズ群において光束は広がり、光軸から離れる方向に各光線が進む。このとき、第３レンズ群の接合レンズの正レンズが、像側に凸面を向けたメニスカスレンズであると、前記正レンズの物体側の面も像側の面も像側に凸の形状となる。そのためどちらの面においても、それぞれの面の法線と、それぞれの面を横切る光線のなす角が小さくなり、前記正レンズの物体側の面と像側の面いずれでも諸収差の発生を小さく抑えられる。
【００３２】
したがって、以上のように第３レンズ群の接合レンズを構成する正レンズが、像側に凸面を向けたメニスカスレンズであるため、前記接合レンズの正レンズで発生する諸収差を小さく抑えられ、より高画質な画像を得られるカメラを得ることができる。
【００３３】
本発明に係る結像光学系においては、第３レンズ群の接合レンズを構成する正レンズのシェイピングファクタＳＦ３ｐが、条件式（１）を満たすことが好ましい。
２≦ＳＦ３ｐ≦１２  ・・・（１）
ここで、
ＳＦ３ｐ＝（ｒ１３ｐ＋ｒ２３ｐ）／（ｒ１３ｐ−ｒ２３ｐ）、
ｒ１３ｐは、第３レンズ群の接合レンズを構成する正レンズの物体側の面の曲率半径、
ｒ２３ｐは、第３レンズ群の接合レンズを構成する正レンズの像側の面の曲率半径、
である。
【００３４】
前記正レンズのシェイピングファクタＳＦ３ｐが条件式（１）を満たすと、前記正レンズは物体側の面も像側の面も像側に凸の形状となり、かつ物体側の面よりも像側の面の方が曲率半径が小さくなる。すると、第２レンズ群、第３レンズ群がともに負群であるため、第３レンズ群において光束は広がって光軸から離れる方向に各光線が進むが、前記正レンズの物体側の面および像側の面いずれにおいても、それぞれの面の法線と、それぞれの面を横切る光線のなす角が小さくなる。そのため、前記正レンズで発生する諸収差を小さく抑えることができる。
【００３５】
条件式（１）の上限値を上回ると、前記正レンズの像側の面の曲率半径が小さくなりすぎて、像側の面の屈折力が大きくなりすぎる。そのため、像側の面で収差が大きく発生してしまう。
【００３６】
条件式（１）の下限値を下回ると、前記正レンズの物体側の面の曲率半径が大きくなりすぎて、物体側の面に入射する光線と、物体側の面の法線とのなす角度が大きくなり、物体側の面で収差が大きく発生してしまう。
【００３７】
したがって、以上のように第３レンズ群の接合レンズを構成する正レンズのシェイピングファクタＳＦ３ｐが条件式（１）を満たすと、前記接合レンズの正レンズで発生する諸収差を小さく抑えられ、より高画質な画像を得られるカメラを得ることができる。
【００３８】
なお、前記シェイピングファクタＳＦ３ｐが条件式（１）に代えて、条件式（１−１）を満たすと、より好ましい。
３≦ＳＦ３ｐ≦１０  ・・・（１−１）
【００３９】
条件式（１−１）を満たすと、像側の面の屈折力が大きくなりすぎることをより防げ、像側の面で発生する収差をより抑えることができる。また、物体側の面に入射する光線と、物体側の面の法線とのなす角度が大きくなりすぎることをより防げ、物体側の面で発生する収差もより抑えることができる。
したがって、以上のように前記シェイピングファクタＳＦ３ｐが条件式（１−１）を満たすと、さらに高画質な画像を得られるカメラを得ることができる。
【００４０】
本発明に係る結像光学系においては、第３レンズ群の接合レンズを構成する負レンズが、像側に凸面を向けたメニスカスレンズであることが好ましい。
第２レンズ群、第３レンズ群がともに負群であるため、第３レンズ群において光束は広がり、光軸から離れる方向に各光線が進む。このとき、第３レンズ群の接合レンズの負レンズが、像側に凸面を向けたメニスカスレンズであると、前記負レンズの物体側の面も像側の面も像側に凸の形状となる。そのためどちらの面においても、それぞれの面の法線と、それぞれの面を横切る光線のなす角が小さくなり、前記負レンズの入射面と射出面いずれでも諸収差の発生を小さく抑えられる。
【００４１】
したがって、以上のように第３レンズ群の接合レンズを構成する負レンズが、像側に凸面を向けたメニスカスレンズであるため、前記接合レンズの負レンズで発生する諸収差を小さく抑えられ、より高画質な画像を得られるカメラを得ることができる。
【００４２】
本発明に係る結像光学系においては、第３レンズ群の接合レンズを構成する負レンズのシェイピングファクタＳＦ３ｎが、条件式（２）を満たすことが好ましい。
−５≦ＳＦ３ｎ＜−１  ・・・（２）
ここで、
ＳＦ３ｎ＝（ｒ１３ｎ＋ｒ２３ｎ）／（ｒ１３ｎ−ｒ２３ｎ）、
ｒ１３ｎは、第３レンズ群の接合レンズを構成する負レンズの物体側の面の曲率半径、
ｒ２３ｎは、第３レンズ群の接合レンズを構成する負レンズの像側の面の曲率半径、
である。
【００４３】
前記負レンズのシェイピングファクタＳＦ３ｎが条件式（２）を満たすと、前記負レンズは物体側の面も像側の面も像側に凸の形状となり、かつ像側の面よりも物体側の面の方が曲率半径が小さくなる。すると、第２レンズ群、第３レンズ群がともに負群であるため、第３レンズ群において光束は広がって光軸から離れる方向に各光線が進むが、前記負レンズの物体側の面および像側の面いずれにおいても、それぞれの面の法線と、それぞれの面を横切る光線のなす角が小さくなる。そのため、前記正レンズで発生する諸収差を小さく抑えることができる。
【００４４】
条件式（２）の上限値を上回ると、前記負レンズの像側の面が平面、あるいは像側に凸の形状になる。すると、像側の面に入射する光線と、像側の面の法線とのなす角度が大きくなり、像側の面で収差が大きく発生してしまう。
【００４５】
条件式（２）の下限値を下回ると、前記負レンズの物体側の面の曲率半径が小さくなりすぎて、物体側の面の屈折力が大きくなりすぎる。そのため、物体側の面で収差が大きく発生してしまう。
【００４６】
したがって、以上のように第３レンズ群の接合レンズを構成する負レンズのシェイピングファクタＳＦ３ｎが条件式（２）を満たすと、前記接合レンズの負レンズで発生する諸収差を小さく抑えられ、より高画質な画像を得られるカメラを得ることができる。
【００４７】
なお、前記シェイピングファクタＳＦ３ｎが条件式（２）に代えて、条件式（２−１）を満たすと、より好ましい。
―３≦ＳＦ３ｎ＜−１  ・・・（２−１）
【００４８】
条件式（２−１）を満たすと、物体側の面の屈折力が大きくなりすぎることをより防げ、物体側の面で発生する収差をより抑えることができる。
したがって、以上のように前記シェイピングファクタＳＦ３ｎが条件式（２−１）を満たすと、さらに高画質な画像を得られるカメラを得ることができる。
【００４９】
本発明に係る結像光学系においては、第３レンズ群の接合レンズの全ての面が像側に凸であることが好ましい。
第２レンズ群、第３レンズ群がともに負群であるため、第３レンズ群において光束は広がり、光軸から離れる方向に各光線が進む。このとき、第３レンズ群の接合レンズの全ての面が像側に凸面を向けた形状であると、接合レンズ全ての面において、それぞれの面の法線と、それぞれの面を横切る光線のなす角が小さくなり、前記接合レンズでの諸収差の発生を小さく抑えられる。
【００５０】
したがって、以上のように第３レンズ群の接合レンズの全ての面が像側に凸であるため、前記接合レンズで発生する諸収差を小さく抑えられ、より高画質な画像を得られるカメラを得ることができる。
【００５１】
本発明に係る結像光学系においては、第３レンズ群の接合レンズを構成する正レンズと負レンズにおいて、正レンズの方が負レンズより屈折率が低いことが好ましい。
接合レンズの正レンズの方が負レンズより屈折率が低いと、正レンズのペッツバール和が正に大きくなるため、負群である第３レンズ群の負のペッツバール和がゼロに近づく。そのため、全系のペッツバール和もゼロに近づき、像面湾曲の発生を抑えられる。
【００５２】
したがって、以上のように第３レンズ群の接合レンズの正レンズと負レンズの屈折率が、正レンズの方が負レンズより低いため、像面湾曲の発生を小さく抑えられ、より高画質な画像を得られるカメラを得ることができる。
【００５３】
本発明に係る結像光学系においては、第３レンズ群を光軸に沿って移動させて、近距離物体への合焦を行うことが好ましい。
第３レンズ群においては、広角端から望遠端まで全領域で光線高が低く、他のレンズ群に比べてレンズ外径が一番小さくできる。そのため、第３レンズ群を合焦時に移動させると、モーターなど合焦のための駆動系を小型化することができる。
【００５４】
また、正レンズあるいは負レンズ１枚のみを合焦時に移動させると、さらに合焦のための駆動系は小型化できるが、レンズ１枚のみでは群内で色収差を補正できず、合焦のために移動させると色収差が大きく変動してしまう。しかし、本発明においては、第３レンズ群が正レンズと負レンズからなる接合レンズのみで構成されているため、第３レンズ群内で色収差を補正することが可能であり、合焦時の色収差の変動を小さく抑えることができる。
【００５５】
したがって、以上のように第３レンズ群を光軸に沿って移動させて、近距離物体への合焦を行うため、合焦のための駆動系を小さくでき、カメラも小型化できる。また、合焦時の色収差の変動を小さく抑えることができるため、合焦時も高画質な画像を得られ、より小型で高画質なカメラを得ることができる。
【００５６】
本発明に係る結像光学系においては、第３レンズ群の接合レンズの最も物体側の面が非球面であることが好ましい。
第３レンズ群においては、広角側では軸上の光束も軸外の光束も光束径が小さい。また、それぞれの主光線が入射する位置が大きく異なり、軸外の光束の主光線は像高が高くなるほど光軸から離れた位置に入射する。一方、望遠側では軸上の光束も軸外の光束も光束径が大きく、それぞれの主光線はいずれも光軸に近い位置に入射する。
そのため、第３レンズ群の接合レンズの最も物体側の面が非球面であると、広角側では像面湾曲や非点収差、コマ収差などの軸外の収差を良好に補正できる。また、望遠側では、球面収差を良好に補正できる。
【００５７】
したがって、以上のように第３レンズ群の接合レンズの最も物体側の面が非球面であるため、広角側でも望遠側でも収差の発生を小さく抑えられ、より高画質なカメラを得ることができる。
【００５８】
本発明に係る結像光学系においては、接合レンズの最も物体側の面が、条件式（３）を満たすことが好ましい。
０．０００１＜ＡＳＰ３１／ＥＲ＜０．００３  ・・・（３）
ここで、
ＡＳＰ３１は非球面の有効径における非球面量、
ＥＲは非球面の有効径、
である。
ここで、「非球面量」とは、非球面の形状に関して、光軸上の曲率を有する球面からの光軸に沿った方向での偏倚量をいい、光軸上で物体側から像側に向かう方向を正とする。
【００５９】
条件式（３）を満たすと、前記非球面の有効径における非球面量は正の値となり、有効径に比べて非常に小さくなる。すなわち、非球面はレンズ周辺において非球面量が大きくなり、元の球面、すなわち非球面係数が全てゼロである場合の面形状より像側に少し面がずれたような形状となる。このような形状となると、前記非球面の周辺では正の屈折力が強くなる。
【００６０】
望遠側では画角が狭いため、第３レンズ群に入射する光束は、軸上光束も像高の高い軸外光束も光束径が大きく、それぞれの主光線はいずれも光軸に近い位置で入射する。そのため、前記非球面の周辺で正の屈折力を強くすると、負の屈折力を持つ第３レンズ群の周辺で負の屈折力が強くなって発生する球面収差を小さく抑えることができる。
【００６１】
また、第３レンズ群を合焦時に移動させる場合、特に合焦のための移動量が大きくなる望遠側において、球面収差を小さく抑えられるため、その合焦による変動を小さく抑えることができる。
【００６２】
条件式（３）の上限値を上回ると、前記非球面の周辺での非球面量が大きくなりすぎて、変倍や合焦時の収差変動が大きくなってしまう。
条件式（３）の下限値を下回ると、前記非球面の周辺での非球面量が小さくなりすぎて、収差補正の効果が十分に得られなくなってしまう。
【００６３】
したがって、以上のように第３レンズ群の接合レンズの最も物体側の面が非球面であり、その形状が条件式（３）を満たすため、広角側でも望遠側でも収差の発生をより小さく抑えられ、また物点位置が変わっても収差の発生を小さく抑えられ、より高画質なカメラを得ることができる。
【００６４】
本発明に係る結像光学系においては、第３レンズ群の接合レンズの接合面が非球面であることが好ましい。
第３レンズ群においては、広角側では軸上の光束も軸外の光束も光束径が小さい。また、それぞれの主光線が入射する位置が大きく異なり、軸外の光束の主光線は像高が高くなるほど光軸から離れた位置に入射する。一方、望遠側では軸上の光束も軸外の光束も光束径が大きく、それぞれの主光線はいずれも光軸に近い位置に入射する。
そのため、第３レンズ群の接合レンズの接合面が非球面であると、広角側では軸外の色収差である倍率の色収差を小さく抑えることができる。また、望遠側では球面収差の色収差を、特に軸上光束周辺領域において小さく抑えることができる。
【００６５】
したがって、以上のように第３レンズ群の接合レンズの接合面が非球面であるため、広角側でも望遠側でも色収差の発生を小さく抑えられ、より高画質なカメラを得ることができる。
【００６６】
本発明に係る結像光学系においては、接合レンズの接合面が、条件式（４）を満たすことが好ましい。
０．９＜Ｐｅｒ／Ｐ０＜０．９９  ・・・（４）
ここで、
Ｐｅｒは非球面の有効径における局所的な屈折力、
Ｐ０は非球面の光軸上での屈折力、
である。
【００６７】
光軸上の屈折力Ｐ０は、元の球面、すなわち前記非球面の非球面係数を全てゼロにした場合の面の屈折力に等しい。
条件式（４）を満たすと、有効径における局所的な非球面の屈折力Ｐｅｒは、光軸上の屈折力Ｐ０と同符号で、かつ大きさが小さくなる。つまり、非球面の周辺領域では面の屈折力が弱くなることになる。すると、接合面の光線高の高い領域で発生しやすい収差、広角側では倍率の色収差、望遠側では球面収差の色収差を小さく抑えることができる。
【００６８】
条件式（４）の上限値を上回ると、接合面の周辺領域での非球面による屈折力の変化が小さくなりすぎて、収差補正の効果が十分に得られなくなってしまう。
条件式（４）の下限値を下回ると、接合面の周辺領域での非球面による屈折力の変化が大きくなりすぎて、変倍や合焦のために第３レンズ群が移動する際に、収差の変動が大きくなってしまう。
【００６９】
したがって、以上のように第３レンズ群の接合レンズの接合面が非球面であり、前記非球面の有効径における局所的な屈折力Ｐｅｒと、前記非球面の光軸上での屈折力Ｐ０とが、条件式（４）を満たすため、広角側でも望遠側でも色収差の発生をより小さく抑えられ、また物点位置が変わっても収差の発生を小さく抑えられ、より高画質なカメラを得ることができる。
【００７０】
本発明に係る結像光学系においては、第３レンズ群の焦点距離ｆ３と、望遠端における全系の焦点距離ｆｔが、条件式（５）を満たすことが好ましい。
０．０５≦｜ｆ３｜／ｆｔ≦０．２５  ・・・（５）
【００７１】
条件式（５）を満たすと、第３レンズ群の焦点距離の絶対値は、望遠端における全系の焦点距離に比べて小さくなる。すなわち、第３レンズ群の屈折力が大きいということになる。そのため、変倍時の第３レンズ群の移動量を小さくすることができる。また、第３レンズ群を合焦時に移動させる場合、合焦による第３レンズ群の移動量も小さく抑えることができる。そのため、変倍比を高くしても第３レンズ群の移動量を小さく抑えられ、光学系全長が長くなることを防ぐことができる。
【００７２】
条件式（５）の上限値を上回ると、第３レンズ群の焦点距離ｆ３の絶対値が大きくなりすぎてしまう。すると、変倍や合焦のための第３レンズ群の移動量が大きくなり、光学系全長が長くなってしまう。
【００７３】
条件式（５）の下限値を下回ると、第３レンズ群の焦点距離ｆ３の絶対値が小さくなりすぎてしまう。すると、第３レンズ群の屈折力が大きくなりすぎて、第３レンズ群で大きな収差が発生してしまい、変倍や合焦のために第３レンズ群を移動させると、収差の変動も大きくなってしまう。
【００７４】
したがって、以上のように第３レンズ群の焦点距離ｆ３と、望遠端における全系の焦点距離ｆｔが、条件式（５）を満たすため、変倍や合焦時の収差変動を抑えつつ、光学系全長が長くなることを防ぐことができ、より高画質で薄型なカメラを得ることができる。
【００７５】
本発明に係る電子撮像装置は、上述のいずれかの結像光学系を含むことを特徴とする。
上述の結像光学系は、光学系全長が比較的短く、諸収差が良好に補正されていながら、ズーム倍率が１０倍程度の高倍率とすることが可能なものであるため、このような結像光学系を含むと、高画質な画像を得られつつ薄型化され、変倍比が高倍率な撮像装置を得ることができる。
。
【００７６】
以下に説明する全実施例に係る結像光学系においては、光学系の一番像側に配置された最終レンズ成分が、物体側から順に、正レンズ、負レンズ、正レンズの３枚のレンズからなる接合レンズである。
【００７７】
第３レンズ群の接合レンズだけでは補正しきれない色収差をより小さくするためには、後続レンズ群内に少なくとも１枚の正レンズと１枚の負レンズからなる接合レンズを配置し、バランスよく補正するとよい。
【００７８】
このとき、後続レンズ群は正の屈折力を有するため、後続レンズ群のペッツバール和を正でなおかつ小さくするためには、正レンズの屈折率を小さくするとよい。正レンズの屈折率が低いまま正レンズの屈折力を大きくしようとすると、正レンズのレンズ面の曲率半径を小さくする必要があり、収差が大きく発生してしまう。それを防ぐために、正レンズを２枚配置して屈折力を分割するとよい。そこで、最終レンズ成分を正レンズ、負レンズ、正レンズの順に接合した接合レンズとして、第３レンズ群だけでは補正しきれない色収差を補正するとよりよい。
【００７９】
したがって、最終レンズ成分を、物体側から順に、正レンズ、負レンズ、正レンズの３枚のレンズからなる接合レンズとすると、より色収差が補正され、像面湾曲の影響を抑えた光学系が得られ、より高画質なカメラを得ることができる。
【００８０】
また、以下の全実施例においては、最終レンズ成分である接合レンズを構成する３つのレンズが全て、像側に凸のメニスカスレンズである。
最終レンズ成分が、物体側から順に、正レンズ、負レンズ、正レンズの３枚のレンズからなる接合レンズである場合、これら３つのレンズが全て、像側に凸のメニスカスレンズであるとよい。このとき、接合レンズのレンズ面はすべて、像側に凸の形状となる。
【００８１】
最終レンズ成分は、絞りから離れた場所に配置されている。そのため、最終レンズ成分のレンズ面は絞りの配置された側に球心があるような向き、すなわち像側に凸の形状であると、光線高の高い光束の主光線と各レンズ面の法線とのなす角が小さくなり、最終レンズ成分のレンズ面で発生するコマ収差や非点隔差などの軸外収差が小さくなる。
【００８２】
また、最終レンズ成分が偏心した場合、最終レンズ成分の各レンズ面の向きが揃っていないと、それぞれの面に対する偏心の影響が大きく異なり、偏心による性能劣化が大きく発生してしまう。しかし、最終レンズ成分の全レンズ面の向きがすべて同じであると、偏心の性能劣化への影響を小さく抑えることができる。
【００８３】
したがって、最終レンズ成分である接合レンズを構成する３つのレンズが全て、像側に凸のメニスカスレンズであると、コマ収差や非点隔差などの軸外収差をより小さく抑え、偏心の性能劣化への影響が小さい光学系が得られ、より高画質なカメラを得ることができる。
【００８４】
さらにまた、全実施例においては、最終レンズ成分である接合レンズの全ての面が像側に凸の形状である。
最終レンズ成分が、物体側から順に、正レンズ、負レンズ、正レンズの３枚のレンズからなる接合レンズである場合、全てのレンズ面が像側に凸の形状であるとよい。
【００８５】
最終レンズ成分は、絞りから離れた場所に配置されている。そのため、最終レンズ成分のレンズ面は絞りの配置された側に球心があるような向き、すなわち像側に凸の形状であると、光線高の高い光束の主光線と各レンズ面の法線とのなす角が小さくなり、最終レンズ成分のレンズ面で発生するコマ収差や非点隔差などの軸外収差が小さくなる。
【００８６】
また、最終レンズ成分が偏心した場合、最終レンズ成分の各レンズ面の向きが揃っていないと、それぞれの面に対する偏心の影響が大きく異なり、偏心による性能劣化が大きく発生してしまう。しかし、最終レンズ成分の全レンズ面の向きがすべて同じであると、偏心の性能劣化への影響を小さく抑えることができる。
【００８７】
したがって、最終レンズ成分である接合レンズの全ての面が像側に凸の形状であると、コマ収差や非点隔差などの軸外収差をより小さく抑え、偏心の性能劣化への影響が小さい光学系が得られ、より高画質なカメラを得ることができる。
【００８８】
また、全実施例においては、最終レンズ成分である接合レンズの負レンズの屈折率が、他の２枚の正レンズの屈折率より高い。
最終レンズ成分が、物体側から順に、正レンズ、負レンズ、正レンズの３枚のレンズからなる接合レンズである場合、負レンズの屈折率が、他の２枚の正レンズの屈折率より高いとよい。
【００８９】
後続レンズ群は正の屈折力を有するため、負レンズの屈折率を他の２枚の正レンズの屈折率より大きくすると、後続レンズ群のペッツバール和を正でなおかつ小さくすることができる。そのため、光学系全体のペッツバール和も小さくすることができ、像面湾曲を小さく抑えることができる。
【００９０】
したがって、最終レンズ成分である接合レンズの負レンズの屈折率が、他の２つの正レンズの屈折率より高いため、より像面湾曲の発生を抑えた、より高画質なカメラを得ることができる。
【００９１】
また、全実施例においては、第３レンズ群の像側に隣り合って配置された第４レンズ群を有し、前記第４レンズ群は正の単レンズを有し、前記正の単レンズのシェイピングファクタＳＦ４ｐが条件式（６）を満たす。
−１＜ＳＦ４ｐ＜−０．５  ・・・（６）
ここで、
ＳＦ４ｐ＝（ｒ１４ｐ＋ｒ２４ｐ）／（ｒ１４ｐ−ｒ２４ｐ）、
ｒ１４ｐは、第４レンズ群の正レンズの物体側の面の曲率半径、
ｒ２４ｐは、第４レンズ群の正レンズの像側の面の曲率半径、
である。
【００９２】
第３レンズ群の像側に隣り合って第４レンズ群が配置され、第４レンズ群は正の単レンズを有し、前記正の単レンズのシェイピングファクタＳＦ４ｐが条件式（６）を満たすとよい。
【００９３】
条件式（６）を満たすので、正の単レンズは両凸レンズの形状となり、かつ物体側の面の方が正の屈折力が強くなる。そのため、正の単レンズの主点は物体側に寄り、物体側に隣り合う第３レンズ群の主点との間隔を狭くしやすくなり、より高倍率化することができる。
【００９４】
したがって、第３レンズ群の像側に隣り合って第４レンズ群が配置され、第４レンズ群は正の単レンズを有し、前記正の単レンズのシェイピングファクタＳＦ４ｐが条件式（６）を満たすため、第４レンズ群の正レンズと第３レンズ群の主点の間隔をより近づけることができ、より高倍率化したカメラを得ることができる。
【００９５】
次に、最終レンズ成分の面形状について説明する。
（１）実施例４
最終レンズ成分の接合レンズの一番物体側の面が非球面である。接合レンズのレンズ面は全て像側に凸の形状であり、このような形状とすることで非点収差やコマ収差などの軸外収差を小さく抑えているが、この接合レンズの一番物体側の面を非球面とすることで、さらに軸外の屈折力を最適に設定することができ、非点収差やコマ収差をより小さくすることができる。
【００９６】
（２）実施例５
最終レンズ成分の接合レンズの一番像側の面が非球面である。接合レンズのレンズ面は全て像側に凸の形状であり、このような形状とすることで非点収差やコマ収差などの軸外収差を小さく抑えているが、この接合レンズの一番像側の面を非球面とすることで、さらに軸外の屈折力を最適に設定することができ、非点収差やコマ収差をより小さくすることができる。
【００９７】
（３）実施例６
最終レンズ成分の接合レンズの一番物体側の面と、物体側の接合面が非球面である。接合レンズのレンズ面は全て像側に凸の形状であり、このような形状とすることで非点収差やコマ収差などの軸外収差を小さく抑えているが、この接合レンズの一番物体側の面を非球面とすることで、さらに軸外の屈折力を最適に設定することができ、非点収差やコマ収差をより小さくすることができる。さらに、２面ある接合面のうち物体側の面も非球面であり、広角側では倍率の色収差をより小さくすることができ、望遠側では球面収差の色収差をより小さくすることができる。
【００９８】
実施例８においては、第３レンズ群の接合レンズの接合面が非球面である。そのため、広角側では軸外の色収差である倍率の色収差を小さく抑えることができる。また、望遠側では軸上の色収差や球面収差の色収差を小さく抑えることができる。
【００９９】
以下の全実施例において、第３レンズ群の負の接合レンズを構成する正レンズは、ガラス材料により形成されていても、樹脂材料により形成されていてもよい。
前記正レンズをガラス材料とすれば、樹脂材料に比べて種類が非常に多く、負の接合レンズを構成する正レンズと負レンズの材料をより多くの組み合わせの中から選択することができ、より最適な光学性能を得ることができる。また、温度や湿度の変化に対して光学特性の変化が小さく、環境の変化による性能劣化が起こりにくい光学系を得ることができる。
【０１００】
一方、前記正レンズを樹脂材料とすれば、負の接合レンズを構成する負レンズの物体側に、正レンズを直接成形により形成することができる。このようなレンズは、複合型レンズと呼ばれる。
【０１０１】
このような直接成形は、一方のレンズ部分を他方のレンズ上に液状の樹脂を塗布又は吐出した後に硬化させて形成するものであるため、単独で接合レンズを作製する場合に比較して、中肉厚やフチ肉を非常に薄くすることができる。そのため、直接成形を用いて作製された接合レンズは、ほぼレンズ１枚の厚さ程度とすることができる。
したがって、前記正レンズを樹脂材料により形成すれば、光学系全長も沈胴厚も短くすることができる。
【０１０２】
また、樹脂材料は、ガラス材料に比較して軽く、また安価であるという利点もある。第３レンズ群を合焦時に移動させる場合、特に効果的である。
なお、直接成形に用いる樹脂材料としては、エネルギー硬化型樹脂等を用いることが好ましい。エネルギー硬化型樹脂を用いれば、一方のレンズ上に樹脂を塗布又は吐出した後、金型で樹脂を押延し、エネルギーを与えるだけで容易に複合型レンズを作製することができる。
【０１０３】
また、エネルギー硬化型樹脂には、熱硬化型や紫外線硬化型等、どのような種類のものを用いても良いが、特に、紫外線硬化型のものを用いることが好ましい。紫外線硬化型のエネルギー硬化型樹脂を用いれば、加熱することなく樹脂を硬化させることができるため、基材となるレンズにプラスチック等の熱耐久性の低い材料を使用することができる。また、成形装置も小型化できる。
【実施例】
【０１０４】
以下に、本発明にかかる結像光学系及び電子撮像装置の実施例を図面に基づいて詳細に説明する。なお、この実施例によりこの発明が限定されるものではない。
【０１０５】
次に、本発明の実施例１にかかる結像光学系について説明する。図１は本発明の実施例１にかかる結像光学系の無限遠物点合焦時の光学構成を示す光軸に沿う断面図であり、（ａ）は広角端、（ｂ）は中間焦点距離状態、（ｃ）は望遠端での断面図である。
【０１０６】
図２は実施例１にかかる結像光学系の無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１０７】
実施例１の結像光学系は、図１に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。なお、以下全ての実施例において、レンズ断面図中、ＣＧはカバーガラス、Ｉは電子撮像素子の撮像面を示している。
【０１０８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１０９】
第２レンズ群Ｇ２は、物体側より順に、両凹負レンズＬ４と、両凹負レンズＬ５と、両凸正レンズＬ６と、で構成されており、全体で負の屈折力を有している。
【０１１０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１１１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１１２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１１３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１１４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と、の７面に設けられている。
【０１１５】
次に、本発明の実施例２にかかる結像光学系について説明する。図３は本発明の実施例２にかかる結像光学系の無限遠物点合焦時の光学構成を示す光軸に沿う断面図であり、（ａ）は広角端、（ｂ）は中間焦点距離状態、（ｃ）は望遠端での断面図である。
【０１１６】
図４は実施例２にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１７】
実施例２の結像光学系は、図３に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１１８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１１９】
第２レンズ群Ｇ２は、物体側より順に、両凹負レンズＬ４と、両凹負レンズＬ５と、両凸正レンズＬ６と、で構成されており、全体で負の屈折力を有している。
【０１２０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１２１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１２２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１２３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１２４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と、の７面に設けられている。
【０１２５】
次に、本発明の実施例３にかかる結像光学系について説明する。図５は本発明の実施例３にかかる結像光学系の無限遠物点合焦時の光学構成を示す光軸に沿う断面図であり、（ａ）は広角端、（ｂ）は中間焦点距離状態、（ｃ）は望遠端での断面図である。
【０１２６】
図６は実施例３にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２７】
実施例３の結像光学系は、図５に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１２８】
第１レンズ群Ｇ１は、物体側より順に、物体側に凸面を向けた負メニスカスレンズＬ１と物体側に凸面を向けた正メニスカスレンズＬ２の接合レンズと、物体側に凸面を向けた正メニスカスレンズＬ３と、で構成されており、全体で正の屈折力を有している。
【０１２９】
第２レンズ群Ｇ２は、物体側より順に、物体側に凸面を向けた負メニスカスレンズＬ４と、両凹負レンズＬ５と、両凸正レンズＬ６と、で構成されており、全体で負の屈折力を有している。
【０１３０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１３１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１３２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１３３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１３４】
非球面は、第２レンズ群Ｇ２の負メニスカスレンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と、の７面に設けられている。
【０１３５】
次に、本発明の実施例４にかかる結像光学系について説明する。図７は本発明の実施例４にかかる結像光学系の無限遠物点合焦時の光学構成を示す光軸に沿う断面図であり、（ａ）は広角端、（ｂ）は中間焦点距離状態、（ｃ）は望遠端での断面図である。
【０１３６】
図８は実施例４にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３７】
実施例４の結像光学系は、図７に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１３８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１３９】
第２レンズ群Ｇ２は、物体側より順に、両凹負レンズＬ４と、両凹負レンズＬ５と、両凸正レンズＬ６と、で構成されており、全体で負の屈折力を有している。
【０１４０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１４１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１４２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１４３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１４４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と物体側の正メニスカスレンズＬ１３の物体側の面と、の８面に設けられている。
【０１４５】
次に、本発明の実施例５にかかる結像光学系について説明する。図１３は本発明の実施例５にかかる結像光学系の無限遠物点合焦時の光学構成を示す光軸に沿う断面図であり、（ａ）は広角端、（ｂ）は中間焦点距離状態、（ｃ）は望遠端での断面図である。
【０１４６】
図１４は実施例５にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４７】
実施例５の結像光学系は、図１３に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１４８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１４９】
第２レンズ群Ｇ２は、物体側より順に、両凹負レンズＬ４と、両凹負レンズＬ５と、両凸正レンズＬ６と、で構成されており、全体で負の屈折力を有している。
【０１５０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１５１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１５２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１５３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１５４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と像側の正メニスカスレンズＬ１５の像側の面と、の８面に設けられている。
【０１５５】
次に、本発明の実施例６にかかる結像光学系について説明する。図１１は本発明の実施例６にかかる結像光学系の無限遠物点合焦時の光学構成を示す光軸に沿う断面図であり、（ａ）は広角端、（ｂ）は中間焦点距離状態、（ｃ）は望遠端での断面図である。
【０１５６】
図１２は実施例６にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５７】
実施例６の結像光学系は、図１１に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１５８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１５９】
第２レンズ群Ｇ２は、物体側より順に、両凹負レンズＬ４と、両凹負レンズＬ５と、両凸正レンズＬ６と、で構成されており、全体で負の屈折力を有している。
【０１６０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１６１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１６２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１６３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１６４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と物体側の正メニスカスレンズＬ１３の像側の両面と、の９面に設けられている。
【０１６５】
次に、本発明の実施例７にかかる結像光学系について説明する。図１３は本発明の実施例７にかかる結像光学系の無限遠物点合焦時の光学構成を示す光軸に沿う断面図であり、（ａ）は広角端、（ｂ）は中間焦点距離状態、（ｃ）は望遠端での断面図である。
【０１６６】
図１４は実施例７にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６７】
実施例７の結像光学系は、図１３に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１６８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１６９】
第２レンズ群Ｇ２は、物体側より順に、両凹負レンズＬ４と、両凹負レンズＬ５と、両凸正レンズＬ６と、で構成されており、全体で負の屈折力を有している。
【０１７０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１７１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１７２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１７３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１７４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と、の７面に設けられている。
【０１７５】
次に、本発明の実施例８にかかる結像光学系について説明する。図１５は本発明の実施例８にかかる結像光学系の無限遠物点合焦時の光学構成を示す光軸に沿う断面図であり、（ａ）は広角端、（ｂ）は中間焦点距離状態、（ｃ）は望遠端での断面図である。
【０１７６】
図１６は実施例８にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７７】
実施例８の結像光学系は、図１５に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、を有している。
【０１７８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１７９】
第２レンズ群Ｇ２は、物体側より順に、両凹負レンズＬ４と、両凹負レンズＬ５と、両凸正レンズＬ６と、で構成されており、全体で負の屈折力を有している。
【０１８０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１８１】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０１８２】
第５レンズ群Ｇ５は、物体側より順に、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１８３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。開口絞りＳは、物体側へ移動する。
【０１８４】
非球面は、第２レンズ群Ｇ２の物体側の両凹負レンズＬ４の両面と、第３レンズ群Ｇ３の正メニスカスレンズＬ７の両面と、第４レンズ群Ｇ４の物体側の両凸正レンズＬ９の両面と、第５レンズ群Ｇ５の両凸正レンズＬ１２の両面と、の８面に設けられている。
【０１８５】
次に、本発明の実施例９にかかる結像光学系について説明する。図１７は本発明の実施例９にかかる結像光学系の無限遠物点合焦時の光学構成を示す光軸に沿う断面図であり、（ａ）は広角端、（ｂ）は中間焦点距離状態、（ｃ）は望遠端での断面図である。
【０１８６】
図１８は実施例９にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８７】
実施例９の結像光学系は、図１７に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、を有している。
【０１８８】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１８９】
第２レンズ群Ｇ２は、物体側より順に、両凹負レンズＬ４と、両凹負レンズＬ５と、両凸正レンズＬ６と、で構成されており、全体で負の屈折力を有している。
【０１９０】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０１９１】
第４レンズ群Ｇ４は、物体側より順に、両凸正レンズＬ９と、両凸正レンズＬ１０と両凹負レンズＬ１１との接合レンズと、両凸正レンズＬ１２と、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で正の屈折力を有している。
【０１９２】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。開口絞りＳは、物体側へ移動する。
【０１９３】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の最も物体側の両凸正レンズＬ９の両面と、最も像側の両凸正レンズＬ１２の両面と、の７面に設けられている。
【０１９４】
次に、本発明の実施例１０にかかる結像光学系について説明する。図１９は本発明の実施例１０にかかる結像光学系の無限遠物点合焦時の光学構成を示す光軸に沿う断面図であり、（ａ）は広角端、（ｂ）は中間焦点距離状態、（ｃ）は望遠端での断面図である。
【０１９５】
図２０は実施例１０にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９６】
実施例１０の結像光学系は、図１９に示すように、物体側より順に、正の屈折力を有する第１レンズ群Ｇ１と、負の屈折力を有する第２レンズ群Ｇ２と、負の屈折力を有する第３レンズ群Ｇ３と、開口絞りＳと、正の屈折力を有する第４レンズ群Ｇ４と、正の屈折力を有する第５レンズ群Ｇ５と、負の屈折力を有する第６レンズ群Ｇ６と、を有している。
【０１９７】
第１レンズ群Ｇ１は、物体側より順に、物体側に凸面を向けた負メニスカスレンズＬ１と、物体側に凸面を向けた正メニスカスレンズＬ２と、物体側に凸面を向けた正メニスカスレンズＬ３と、で構成されており、全体で正の屈折力を有している。
【０１９８】
第２レンズ群Ｇ２は、物体側より順に、両凹負レンズＬ４と、両凹負レンズＬ５と、両凸正レンズＬ６と、で構成されており、全体で負の屈折力を有している。
【０１９９】
第３レンズ群Ｇ３は、物体側より順に、像側に凸面を向けた正メニスカスレンズＬ７と像側に凸面を向けた負メニスカスレンズＬ８との接合レンズで構成されており、全体で負の屈折力を有している。
【０２００】
第４レンズ群Ｇ４は、物体側より順に、両凸正レンズＬ９と、両凸正レンズＬ１０と両凹負レンズＬ１１との接合レンズと、で構成されており、全体で正の屈折力を有している。
【０２０１】
第５レンズ群Ｇ５は、両凸正レンズＬ１２で構成されており、全体で正の屈折力を有している。
【０２０２】
第６レンズ群Ｇ６は、物体側より順に、像側に凸面を向けた正メニスカスレンズＬ１３と像側に凸面を向けた負メニスカスレンズＬ１４と像側に凸面を向けた正メニスカスレンズＬ１５の接合レンズと、で構成されており、全体で負の屈折力を有している。
【０２０３】
広角端から望遠端へと変倍する際には、第１レンズ群Ｇ１は物体側へ移動する。第２レンズ群Ｇ２は、物体側へ移動する。第３レンズ群Ｇ３は、物体側へ移動する。第４レンズ群Ｇ４は物体側へ移動する。第５レンズ群Ｇ５は物体側へ移動する。第６レンズ群Ｇ６は、物体側へ移動する。開口絞りＳは、物体側へ移動する。
【０２０４】
非球面は、第２レンズ群Ｇ２の物体側の両凹負レンズＬ４の両面と、第３レンズ群Ｇ３の正メニスカスレンズＬ７の物体側の面と、第４レンズ群Ｇ４の物体側の両凸正レンズＬ９の両面と、第５レンズ群Ｇ５の両凸正レンズＬ１２の両面と、の７面に設けられている。
【０２０５】
上述の実施例１〜１０はいずれも変倍光学系であるが、本発明はこれらに限らず単焦点光学系に適用してもよい。本発明は、特に変倍光学系に適用すると、より効果が高く望ましい。
【０２０６】
次に、上記各実施例の結像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０２０７】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  ・・・（Ｉ）
また、ｅは１０のべき乗を表している。なお、これら諸元値の記号は後述の実施例の数値データにおいても共通である。
【０２０８】
数値実施例１
単位ｍｍ
面データ
面番号       r          d          nd        νd      ER
物面        ∞           ∞
1         74.6204     2.1000     1.80000    29.84   22.000 
2         41.7491     0.3000                        21.055 
3         41.5162     6.6415     1.49700    81.54   21.081 
4        357.8580     0.1500                        20.868 
5         48.9188     4.9283     1.61800    63.33   20.200 
6        288.9110     可変                          19.913 
7*      -687.6047     1.2000     1.80610    40.73   11.056 
8*        13.9780     5.4900                         8.685 
9        -38.2514     0.9000     1.80610    40.92    7.950 
10        50.4870     0.1500                         7.669 
11        25.2338     3.4509     1.80518    25.42    7.600 
12       -34.3682     可変                           7.379 
13*      -16.9874     0.9108     1.63387    23.38    6.069 
14       -11.6414     0.8640     1.69680    55.53    6.028 
15     -1425.5553     可変                           6.107 
16(絞り)    ∞        5.9791                         (可変) 
17*       24.0151     2.5198     1.58913    61.25    6.990 
18*     -327.8187     0.1500                         7.300 
19        29.8587     4.0523     1.61800    63.33    7.322 
20       -22.7427     0.9000     1.90366    31.32    7.308 
21       422.9147     可変                           7.405 
22*       23.8537     9.0733     1.49700    81.61    7.698 
23*      -25.9203     5.3800                         7.100 
24       -34.4275     3.7999     1.53172    48.84    6.894 
25       -15.9013     1.2000     1.88300    40.76    7.025 
26      -144.2313     2.9352     1.69895    30.13    7.360 
27       -81.4366     可変                           7.732 
28          ∞        4.0000     1.51633    64.14   12.000 
29          ∞        0.7450                        12.000 
像面（撮像面）∞
非球面データ
第７面
k=3235.153,A4=1.84275e-05,A6=-1.54575e-07,A8=5.69972e-10
第８面
k=-0.635,A4=3.66362e-05,A6=3.64581e-08,A8=-1.24416e-09
第１３面
k=0.000,A4=3.93878e-06
第１７面
k=-0.916,A4=4.59734e-06,A6=-3.83798e-07,A8=8.50881e-09,A10=-1.29452e-10
第１８面
k=-9.237,A4=1.13787e-05,A6=-3.88271e-07,A8=8.80566e-09,A10=-1.34973e-10
第２２面
k=3.131,A4=-3.46075e-06,A6=2.00582e-07,A8=1.72429e-09,A10=-1.34137e-11
第２３面
k=-0.832,A4=9.49678e-05,A6=4.91843e-07,A8=1.81060e-09,A10=5.03223e-11
各種データ
ズーム比      10.219 
広角      中間      望遠
焦点距離         14.332    46.261   146.459
ＦＮＯ．          4.081     5.624     5.772
画角２ω         80.000    26.941     8.584
像高             11.150    11.150    11.150
BF               16.123    37.408    49.081
レンズ全長      100.361   128.830   159.642 
物点距離           ∞        ∞        ∞  
d6                0.600    21.258    44.066
d12               3.213     3.013     5.931
d15              12.313     6.895     1.174
d21               5.036     2.189     1.494
d27              12.740    34.025    45.699
絞り径            4.042     5.319     6.330 
入射瞳位置       24.451    70.633   231.228
射出瞳位置      -30.271   -20.193   -19.399
前側主点位置     34.355    79.741    64.457
後側主点位置    -13.587   -45.516  -145.714
レンズ   始面     焦点距離
L1       1     -121.929     
L2       3       93.842     
L3       5       94.550     
L4       7      -16.982     
L5       9      -26.876     
L6      11       18.550     
L7      13       54.740     
L8      14      -16.849     
ズームレンズ群データ
群  始面   群焦点距離   群構成長  前側主点位置  後側主点位置
G1    1     79.319       14.120        3.552      -5.635 
G2    7    -34.284       11.191       -5.453     -17.377 
G3   13    -23.628        1.775        0.059      -1.007 
G4   16     29.644        7.622       -0.686      -5.188 
G5   22     51.217       22.388       -9.570     -22.031 
群倍率
広角      中間      望遠
G1               0.000     0.000     0.000
G2              -0.775    -1.453   -43.484
G3               0.225     0.184     0.015
G4              -4.068    13.564     7.273
G5               0.255    -0.161    -0.388
【０２０９】
数値実施例２
単位ｍｍ
面データ
面番号       r          d          nd        νd      ER
物面        ∞           ∞
1         82.3897     2.1000     1.80000    29.84   22.000 
2         44.3575     0.3000                        21.154 
3         44.0796     7.0885     1.49700    81.54   21.184 
4        882.6874     0.1500                        20.947 
5         47.7796     5.0286     1.61800    63.33   20.200 
6        224.4121     可変                          19.862 
7*      -685.7007     1.2000     1.80610    40.73   11.119 
8*        14.3941     5.4900                         8.730 
9        -35.6461     0.9000     1.80610    40.92    7.957 
10        56.7029     0.1500                         7.674 
11        28.1342     3.3187     1.80518    25.42    7.600 
12       -30.4471     可変                           7.406 
13*      -16.5668     1.0178     1.63387    23.38    6.254 
14       -11.4759     0.9588     1.69680    55.53    6.205 
15      -468.0874     可変                           6.115 
16(絞り)    ∞        5.7327                         (可変) 
17*       21.0015     2.0097     1.58913    61.25    6.859 
18*     -132.0931     0.1500                         7.300 
19        30.6052     4.5398     1.61800    63.33    7.078 
20       -26.7347     0.9000     1.90366    31.32    7.033 
21        69.6493     可変                           7.093 
22*       22.6589     9.0605     1.49700    81.61    7.446 
23*      -29.0955     5.3800                         7.100 
24       -39.6822     3.6041     1.53172    48.84    7.104 
25       -20.7670     1.2000     1.88300    40.76    7.289 
26       -93.0030     2.8648     1.69895    30.13    7.555 
27       -90.7097     可変                           7.907 
28          ∞        4.0000     1.51633    64.14   12.000 
29          ∞        0.7450                        12.000 
像面（撮像面）∞
非球面データ
第７面
k=3235.296,A4=1.29998e-05,A6=-4.33275e-08,A8=2.70798e-10
第８面
k=-0.632,A4=2.42753e-05,A6=4.25746e-08,A8=7.73020e-10
第１３面
k=0.000,A4=3.12761e-06
第１７面
k=-0.906,A4=-1.89094e-07,A6=-4.47423e-07,A8=2.05060e-08,A10=-2.80321e-10
第１８面
k=-9.232,A4=-1.79345e-06,A6=-4.02420e-07,A8=2.09141e-08,A10=-2.97477e-10
第２２面
k=3.173,A4=-2.61272e-05,A6=3.69490e-07,A8=-9.66544e-10,A10=-1.63856e-11
第２３面
k=-0.846,A4=9.50088e-05,A6=4.79662e-07,A8=5.02353e-09,A10=3.53529e-12
各種データ
ズーム比      10.271 
広角      中間      望遠
焦点距離         14.366    45.847   147.554
ＦＮＯ．          4.081     5.624     5.772
画角２ω         78.509    27.124     8.531
像高             11.150    11.150    11.150
BF               16.285    37.243    49.327
レンズ全長      100.361   128.831   159.638 
物点距離           ∞        ∞        ∞  
d6                0.600    21.147    43.998
d12               2.825     3.219     6.234
d15              12.781     6.808     0.794
d21               4.727     2.287     1.399
d27              12.902    33.860    45.944
絞り径            4.038     5.224     6.266 
入射瞳位置       24.875    70.951   230.176
射出瞳位置      -32.234   -21.395   -20.196
前側主点位置     34.987    80.952    64.565
後側主点位置    -13.621   -45.102  -146.809
レンズ   始面      焦点距離
L1       1     -123.137     
L2       3       93.092     
L3       5       97.170     
L4       7      -17.476     
L5       9      -27.034     
L6      11       18.631     
L7      13       54.675     
L8      14      -16.898     
ズームレンズ群データ
群  始面   群焦点距離   群構成長  前側主点位置  後側主点位置
G1    1     79.540       14.667        3.905      -5.628 
G2    7    -36.573       11.059       -6.058     -18.186 
G3   13    -23.633        1.977        0.039      -1.149 
G4   16     30.558        7.599       -2.126      -6.289 
G5   22     43.373       22.109       -4.979     -19.023 
群倍率
広角      中間      望遠
G1                0.000     0.000     0.000
G2               -0.855    -1.644    60.746
G3                0.210     0.167    -0.011
G4               -5.411     7.076     4.795
G5                0.186    -0.297    -0.576
【０２１０】
数値実施例３
単位ｍｍ
面データ
面番号       r          d          nd        νd      ER
物面        ∞          ∞
1         73.2639     2.1000     1.80000    29.84   22.000 
2         41.2944     6.4532     1.49700    81.54   21.045 
3        296.9163     0.1500                        20.857 
4         46.7013     5.2826     1.61800    63.33   20.200 
5        266.4079     可変                          19.865 
6*      4838.2155     1.2000     1.80610    40.73   11.031 
7*        13.1344     5.4900                         8.570 
8        -39.1369     0.9000     1.80610    40.92    7.940 
9         49.4738     0.1500                         7.666 
10        24.7428     3.4696     1.80518    25.42    7.600 
11       -34.8680     可変                           7.378 
12*      -16.8921     0.8678     1.63387    23.38    6.040 
13       -11.6019     0.7543     1.69680    55.53    6.004 
14      -990.2231     可変                           6.098 
15(絞り)    ∞        5.6292                         (可変) 
16*       24.0601     2.5783     1.58913    61.25    6.907 
17*     -356.0431     0.1500                         7.300 
18        30.1941     4.1848     1.61800    63.33    7.367 
19       -22.8766     0.9000     1.90366    31.32    7.345 
20       397.4948     可変                           7.435 
21*       23.2483     9.4400     1.49700    81.61    7.712 
22*      -26.7076     5.3800                         7.100 
23       -36.6080     4.0195     1.53172    48.84    6.933 
24       -16.1292     1.2000     1.88300    40.76    7.074 
25      -143.5063     2.4285     1.69895    30.13    7.408 
26       -81.5548     可変                           7.711 
27          ∞        4.0000     1.51633    64.14   12.000 
28          ∞        0.7450                        12.000 
像面（撮像面）∞
非球面データ
第６面
k=75074.254,A4=4.90169e-05,A6=-5.79896e-07,A8=3.24726e-09,A10=-7.40253e-12
第７面
k=-0.625,A4=7.80556e-05,A6=-3.33202e-07,A8=-5.05024e-11
第１２面
k=0.000,A4=6.17235e-06
第１６面
k=-0.779,A4=-1.24534e-05,A6=-2.26222e-06,A8=4.31183e-08,A10=-6.02542e-10
第１８面
k=-99.124,A4=-1.08635e-05,A6=-2.08419e-06,A8=3.39056e-08,A10=-4.73623e-10
第２１面
k=1.929,A4=-4.12169e-06,A6=2.28614e-07,A8=-1.16894e-10,A10=1.20047e-11
第２２面
k=-0.715,A4=9.53346e-05,A6=5.87390e-07,A8=-1.69336e-09,A10=6.79074e-11
各種データ
ズーム比      10.343 
広角      中間      望遠
焦点距離         14.200    46.132   146.868
ＦＮＯ．          4.081     5.624     5.772
画角２ω         77.677    26.890     8.556
像高             11.150    11.150    11.150
BF               16.309    37.454    49.776
レンズ全長      100.365   128.826   159.642 
物点距離           ∞        ∞        ∞  
d5                0.600    21.256    43.361
d11               3.279     2.862     5.858
d14              12.542     6.568     1.206
d20               4.907     2.237     1.492
d26              12.926    34.071    46.393
絞り径            4.068     5.212     6.331 
入射瞳位置       24.351    71.286   231.955
射出瞳位置      -29.922   -20.815   -19.625
前側主点位置     34.189    80.895    68.014
後側主点位置    -13.455   -45.387  -146.123
レンズ   始面      焦点距離
L1       1     -121.849     
L2       2       95.708     
L3       4       90.798     
L4       6      -16.340     
L5       8      -26.985     
L6      10       18.454     
L7      12       54.947     
L8      13      -16.853     
ズームレンズ群データ
群  始面   群焦点距離   群構成長  前側主点位置  後側主点位置
G1    1     78.369       13.986        2.893      -6.077 
G2    6    -32.707       11.210       -5.207     -17.110 
G3   12    -23.626        1.622        0.052      -0.923 
G4   15     30.018        7.813       -0.750      -5.353 
G5   21     48.754       22.468       -8.924     -21.526 
群倍率
広角      中間      望遠
G1                0.000     0.000     0.000
G2               -0.740    -1.390   -22.846 
G3                0.234     0.194     0.029 
G4               -4.672    10.412     6.205 
G5                0.224    -0.210    -0.462
【０２１１】
数値実施例４
単位ｍｍ
面データ
面番号       r          d          nd        νd      ER
物面        ∞          ∞
1         73.2593     2.1000     1.80000    29.84   22.000 
2         41.7732     0.3000                        21.060 
3         41.5394     6.3206     1.49700    81.54   21.085 
4        367.6522     0.1500                        20.916 
5         49.0114     5.9170     1.61800    63.33   20.200 
6        255.3981     可変                          19.661 
7*      -712.1362     1.2000     1.80610    40.73   11.023 
8*        12.8567     5.4900                         8.540 
9        -42.6572     0.9000     1.80610    40.92    7.922 
10        52.6420     0.1500                         7.670 
11        24.5855     3.5412     1.80518    25.42    7.600 
12       -34.6051     可変                           7.367 
13*      -16.8682     0.8282     1.63387    23.38    6.028 
14       -11.7928     0.4828     1.69680    55.53    5.993 
15     -1039.5859     可変                           6.086 
16(絞り)    ∞        5.9948                         (可変) 
17*       23.6715     2.5462     1.58913    61.25    6.919 
18*     -345.0074     0.1500                         7.300 
19        29.8228     3.7398     1.61800    63.33    7.310 
20       -21.7204     0.9000     1.90366    31.32    7.289 
21       426.0030     可変                           7.382 
22*       23.6775     9.1857     1.49700    81.61    7.655 
23*      -26.2454     5.3800                         7.100 
24*      -35.2548     4.2102     1.53172    48.84    6.882 
25       -15.9375     1.2000     1.88300    40.76    7.044 
26      -142.0182     2.4001     1.69895    30.13    7.388 
27       -76.7288     可変                           7.693 
28          ∞        4.0000     1.51633    64.14   12.000 
29          ∞        0.7450                        12.000 
像面（撮像面）∞
非球面データ
第７面
k=3503.619,A4=2.22237e-05,A6=-1.48836e-07,A8=5.28660e-10
第８面
k=-0.703,A4=4.66030e-05,A6=4.22907e-08,A8=-3.86806e-10
第１３面
k=0.000,A4=5.20241e-06
第１７面
k=-1.778,A4=2.59794e-06,A6=-1.28560e-06,A8=2.15979e-08,A10=-3.30605e-10
第１８面
k=2.121,A4=-2.78535e-06,A6=-1.28323e-06,A8=1.82728e-08,A10=-2.87151e-10
第２２面
k=2.674,A4=-5.45062e-07,A6=5.23355e-08,A8=9.02022e-11,A10=5.93812e-12
第２３面
k=-0.781,A4=1.04515e-04,A6=2.02837e-07,A8=1.85174e-09,A10=2.16516e-11
第２４面
k=0.000,A4=2.92421e-06,A6=-2.71302e-07
各種データ
ズーム比      10.350 
広角      中間      望遠
焦点距離         14.207    46.091   147.039
ＦＮＯ．          4.081     5.624     5.772
画角２ω         77.684    26.892     8.547
像高             11.150    11.150    11.150
BF               16.138    37.410    49.233
レンズ全長      100.368   128.827   159.641 
物点距離           ∞        ∞        ∞   
d6                0.600    21.159    43.868 
d12               3.260     3.185     5.982 
d15              12.323     6.829     1.149 
d21               4.960     2.161     1.518 
d27              12.756    34.027    45.850 
絞り径            4.002     5.279     6.305 
入射瞳位置       24.849    71.695   234.443
射出瞳位置      -30.327   -20.120   -19.344
前側主点位置     34.712    80.859    66.208
後側主点位置    -13.462   -45.346  -146.294
レンズ   始面     焦点距離
L1       1     -125.204     
L2       3       93.624     
L3       5       97.077     
L4       7      -15.655     
L5       9      -29.109     
L6      11       18.341     
L7      13       58.151     
L8      14      -17.122     
ズームレンズ群データ
群  始面   群焦点距離   群構成長  前側主点位置  後側主点位置
G1    1     79.469       14.788        3.102      -6.449 
G2    7    -34.824       11.281       -6.234     -18.777 
G3   13    -23.627        1.311        0.051      -0.739 
G4   16     29.932        7.336       -0.678      -5.017 
G5   22     49.536       22.376       -9.025     -21.605 
群倍率
広角      中間      望遠
G1                0.000     0.000     0.000
G2               -0.795    -1.496   -61.939
G3                0.218     0.178     0.011
G4               -4.329    11.365     6.587
G5                0.238    -0.191    -0.430
【０２１２】
数値実施例５
単位ｍｍ
面データ
面番号       r          d          nd        νd      ER
物面        ∞          ∞
1         73.3366     2.1000     1.80000    29.84   22.000 
2         41.8069     0.3000                        21.061 
3         41.5406     6.3243     1.49700    81.54   21.086 
4        383.8002     0.1500                        20.920 
5         49.1466     5.8080     1.61800    63.33   20.200 
6        254.2510     可変                          19.681 
7*      -700.7803     1.2000     1.80610    40.73   11.017 
8*        12.8607     5.4900                         8.548 
9        -42.5744     0.9000     1.80610    40.92    7.920 
10        53.5012     0.1500                         7.671 
11        24.7181     3.4835     1.80518    25.42    7.600 
12       -34.4999     可変                           7.377 
13*      -16.9000     0.8110     1.63387    23.38    5.996 
14       -11.7885     0.4985     1.69680    55.53    5.961 
15     -1152.3238     可変                           6.079 
16(絞り)     ∞       6.1447                         (可変) 
17*       23.6438     2.5344     1.58913    61.25    6.919 
18*     -348.4591     0.1500                         7.300 
19        29.8830     3.7125     1.61800    63.33    7.310 
20       -21.6873     0.9000     1.90366    31.32    7.291 
21       392.8662     可変                           7.388 
22*       23.6570     9.3089     1.49700    81.61    7.675 
23*      -25.9667     5.3800                         7.100 
24       -35.9883     3.9867     1.53172    48.84    6.922 
25       -15.9710     1.2000     1.88300    40.76    7.061 
26      -191.6172     2.6864     1.69895    30.13    7.405 
27*      -77.0742     可変                           7.737 
28          ∞        4.0000     1.51633    64.14   12.000 
29          ∞        0.7450                        12.000 
像面（撮像面）∞
非球面データ
第７面
k=3309.998,A4=1.55574e-05,A6=-1.02019e-07,A8=4.01846e-10
第８面
k=-0.770,A4=4.30227e-05,A6=4.73960e-08,A8=-1.33928e-10
第１３面
k=0.000,A4=5.08661e-06
第１７面
k=-1.781,A4=2.41364e-06,A6=-1.16990e-06,A8=2.06488e-08,A10=-3.47989e-10
第１８面
k=658.555,A4=-1.02181e-06,A6=-1.08461e-06,A8=1.67956e-08,A10=-3.03913e-10
第２２面
k=2.803,A4=7.30987e-10,A6=2.25867e-07,A8=2.15579e-11,A10=-1.13078e-12
第２３面
k=-0.800,A4=1.07110e-04,A6=4.45392e-07,A8=3.34020e-09,A10=2.53116e-11
第２７面
k=0.000,A4=-3.54324e-06,A6=3.40959e-08
各種データ
ズーム比      10.337 
広角      中間      望遠
焦点距離         14.228    46.128   147.079
ＦＮＯ．          4.081     5.624     5.772
画角２ω         78.140    26.911     8.552
像高             11.150    11.150    11.150
BF               16.205    37.312    49.184
レンズ全長      100.365   128.827   159.640 
物点距離           ∞        ∞        ∞  
d6                0.600    21.296    43.887
d12               3.321     3.136     6.038
d15              12.192     6.797     1.147
d21               4.828     2.143     1.509
d27              12.822    33.929    45.801
絞り径            3.990     5.254     6.297 
入射瞳位置       24.746    71.891   234.436
射出瞳位置      -30.693   -20.335   -19.488
前側主点位置     34.658    81.109    66.507
後側主点位置    -13.483   -45.383  -146.334
レンズ   始面     焦点距離
L1       1     -125.259     
L2       3       93.156     
L3       5       97.526     
L4       7      -15.655     
L5       9      -29.289     
L6      11       18.367     
L7      13       57.923     
L8      14      -17.096     
ズームレンズ群データ
群  始面   群焦点距離   群構成長  前側主点位置  後側主点位置
G1    1     79.391       14.682        3.116      -6.372 
G2    7    -34.951       11.223       -6.260     -18.770 
G3   13    -23.629        1.310        0.051      -0.738 
G4   16     30.117        7.297       -0.706      -5.017 
G5   22     49.093       22.562       -8.779     -21.556 
群倍率
広角      中間      望遠
G1                0.000     0.000     0.000
G2               -0.799    -1.517   -79.291 
G3                0.217     0.177     0.008 
G4               -4.467    10.871     6.402 
G5                0.231    -0.199    -0.441
【０２１３】
数値実施例６
単位ｍｍ
面データ
面番号       r          d          nd        νd      ER
物面        ∞          ∞
1         72.8298     2.1000     1.80000    29.84   22.000 
2         41.6724     0.3000                        21.049 
3         41.4242     6.0222     1.49700    81.54   21.073 
4        357.8105     0.1500                        20.943 
5         49.0698     5.8669     1.61800    63.33   20.200 
6        255.1984     可変                          19.671 
7*      -687.9791     1.2000     1.80610    40.73   11.067 
8*        13.0915     5.4900                         8.587 
9        -41.8724     0.9000     1.80610    40.92    7.938 
10        52.3232     0.1500                         7.674 
11        24.7148     3.4240     1.80518    25.42    7.600 
12       -34.7274     可変                           7.381 
13*      -16.8851     0.8612     1.63387    23.38    6.078 
14       -11.6934     0.7499     1.69680    55.53    6.041 
15     -1031.1238     可変                           6.105 
16(絞り)    ∞        6.1927                         (可変) 
17*       23.6085     2.5330     1.58913    61.25    6.952 
18*     -368.9345     0.1500                         7.300 
19        29.7700     3.6178     1.61800    63.33    7.329 
20       -21.8683     0.9000     1.90366    31.32    7.309 
21       416.6196     可変                           7.401 
22*       23.6824     9.0649     1.49700    81.61    7.670 
23*      -26.1603     5.3800                         7.100 
24*      -34.7411     3.9622     1.53172    48.84    6.861 
25*      -15.7371     1.2000     1.88300    40.76    7.006 
26      -151.7533     3.1463     1.69895    30.13    7.351 
27       -75.5582     可変                           7.754 
28          ∞        4.0000     1.51633    64.14   12.000 
29          ∞        0.7450                        12.000 
像面（撮像面）∞
非球面データ
第７面
k=3194.054,A4=2.00900e-05,A6=-1.35328e-07,A8=4.88771e-10
第８面
k=-0.740,A4=4.53722e-05,A6=4.58905e-08,A8=-4.75492e-10
第１３面
k=0.000,A4=4.59445e-06
第１７面
k=-1.710,A4=3.08157e-06,A6=-1.09994e-06,A8=2.00617e-08,A10=-3.16199e-10
第１８面
k=32.506,A4=-1.49099e-06,A6=-1.08239e-06,A8=1.71551e-08,A10=-2.81766e-10
第２２面
k=2.753,A4=-3.63208e-07,A6=1.08356e-07,A8=8.32948e-12,A10=2.88447e-12
第２３面
k=-0.727,A4=1.04239e-04,A6=2.31580e-07,A8=2.45927e-09,A10=1.86709e-11
第２４面
k=0.000,A4=1.54870e-06,A6=-2.59516e-07
第２５面
k=0.000,A4=2.47610e-07,A6=2.85360e-09
各種データ
ズーム比      10.349 
広角     中間      望遠 
焦点距離         14.211    46.104   147.070
ＦＮＯ．          4.081     5.624     5.772
画角２ω         78.429    26.936     8.551
像高             11.150    11.150    11.150
BF               15.985    37.319    49.183
レンズ全長      100.367   128.827   159.640 
物点距離           ∞        ∞        ∞  
d6                0.600    21.169    43.856
d12               3.191     3.172     6.006
d15              12.275     6.800     1.147
d21               4.954     2.132     1.479
d27              12.602    33.936    45.800
絞り径            3.997     5.281     6.323 
入射瞳位置       24.644    71.550   234.572
射出瞳位置      -30.975   -20.453   -19.596
前側主点位置     34.555    80.861    67.164
後側主点位置    -13.466   -45.359  -146.325
レンズ   始面     焦点距離
L1       1     -125.520     
L2       3       93.670     
L3       5       97.246     
L4       7      -15.925     
L5       9      -28.731     
L6      11       18.405     
L7      13       56.370     
L8      14      -16.979     
ズームレンズ群データ
群  始面   群焦点距離   群構成長  前側主点位置  後側主点位置
G1    1     79.453       14.439        2.940      -6.375 
G2    7    -34.648       11.164       -6.009     -18.301 
G3   13    -23.626        1.611        0.052      -0.917 
G4   16     29.951        7.201       -0.647      -4.912 
G5   22     50.395       22.753       -9.026     -21.961 
群倍率
広角      中間      望遠
G1                0.000     0.000     0.000
G2               -0.790    -1.489   -59.594 
G3                0.220     0.180     0.011 
G4               -4.157    12.292     6.857 
G5                0.247    -0.176    -0.412
【０２１４】
数値実施例７
単位ｍｍ
面データ
面番号       r          d          nd        νd      ER
物面        ∞          ∞
1         73.5901     2.1000     1.80000    29.84   22.000 
2         41.6355     0.3000                        21.051 
3         41.3881     6.2057     1.49700    81.54   21.077 
4        356.5805     0.1500                        20.925 
5         49.2645     5.0812     1.61800    63.33   20.200 
6        291.2036     可変                          19.871 
7*      -649.7285     1.2000     1.80610    40.73   11.053 
8*        13.6906     5.4900                         8.624 
9        -37.1757     0.9000     1.80610    40.92    7.931 
10        51.1540     0.1500                         7.664 
11        24.9634     3.5401     1.80518    25.42    7.600 
12       -33.1285     可変                           7.378 
13*      -17.6831     1.5574     1.68893    31.07    6.118 
14       -10.5246     0.8337     1.72916    54.68    6.037 
15     -1295.2616     可変                           6.199 
16(絞り)    ∞        6.5483                         (可変) 
17*       24.4495     2.4628     1.58913    61.25    7.029 
18*     -373.9580     0.1500                         7.300 
19        29.8785     3.5160     1.61800    63.33    7.401 
20       -23.5453     0.9000     1.90366    31.32    7.389 
21       451.3541     可変                           7.479 
22*       23.9802     9.2575     1.49700    81.61    7.756 
23*      -26.5373     5.3800                         7.100 
24       -34.6912     4.3773     1.53172    48.84    6.885 
25       -15.5255     1.2000     1.88300    40.76    7.033 
26      -355.9891     2.3980     1.69895    30.13    7.391 
27       -75.7553     可変                           7.682 
28          ∞        4.0000     1.51633    64.14   12.000 
29          ∞        0.7450                        12.000 
像面（撮像面）∞
非球面データ
第７面
k=2961.503,A4=1.91792e-05,A6=-1.74334e-07,A8=6.55379e-10
第８面
k=-0.649,A4=4.22418e-05,A6=2.38759e-08,A8=-9.65725e-10
第１３面
k=0.000,A4=3.86819e-06
第１７面
k=-1.970,A4=2.34813e-06,A6=-4.57924e-07,A8=7.39018e-09,A10=-1.98059e-10
第１８面
k=18.912,A4=-3.68821e-08,A6=-4.27789e-07,A8=6.55770e-09,A10=-1.88865e-10
第２２面
k=1.969,A4=8.24441e-06,A6=3.19108e-07,A8=7.28388e-10,A10=-1.45104e-12
第２３面
k=-0.590,A4=9.73179e-05,A6=5.50685e-07,A8=1.25607e-09,A10=5.00731e-11
各種データ
ズーム比      10.380 
広角     中間      望遠 
焦点距離         14.147    46.304   146.840
ＦＮＯ．          4.081     5.624     5.772
画角２ω         81.434    26.914     8.555
像高             11.150    11.150    11.150
BF               16.104    37.880    49.116
レンズ全長      100.363   128.830   159.641 
物点距離           ∞        ∞        ∞  
d6                0.600    20.940    43.909
d12               3.043     2.838     6.014
d15              12.008     6.952     1.158
d21               4.910     2.170     1.495
d27              12.721    34.497    45.733
絞り径            4.003     5.444     6.419 
入射瞳位置       24.114    69.616   233.827
射出瞳位置      -30.027   -19.525   -18.853
前側主点位置     33.922    78.570    63.431
後側主点位置    -13.402   -45.559  -146.095
レンズ   始面     焦点距離
L1       1     -123.462     
L2       3       93.599     
L3       5       95.185     
L4       7      -16.620     
L5       9      -26.587     
L6      11       18.175     
L7      13       34.661     
L8      14      -14.556     
ズームレンズ群データ
群  始面   群焦点距離   群構成長  前側主点位置  後側主点位置
G1    1     78.905       13.837        3.275      -5.704 
G2    7    -34.681       11.280       -5.821     -18.075 
G3   13    -23.627        2.391        0.065      -1.338 
G4   16     30.011        7.029       -0.508      -4.696 
G5   22     53.167       22.613      -10.918     -22.944 
群倍率
広角     中間      望遠 
G1                0.000     0.000     0.000
G2               -0.793    -1.482   -80.411 
G3                0.221     0.181     0.008 
G4               -3.856    15.209     7.915 
G5                0.266    -0.144    -0.355
【０２１５】
数値実施例８
単位ｍｍ
面データ
面番号       r          d          nd        νd      ER
物面        ∞          ∞
1         72.4565     2.1000     1.80000    29.84   22.000 
2         41.1185     0.3000                        21.034 
3         40.9224     6.1848     1.49700    81.54   21.061 
4        320.4688     0.1500                        20.911 
5         48.8237     4.9113     1.61800    63.33   20.200 
6        291.7290     可変                          19.919 
7*      -646.5767     1.2000     1.80610    40.73   11.065 
8*        13.6760     5.4900                         8.609 
9        -36.7175     0.9000     1.80610    40.92    7.936 
10        52.4486     0.1500                         7.670 
11        24.2470     3.5558     1.80518    25.42    7.600 
12       -34.2058     可変                           7.368 
13*      -17.7415     1.5854     1.68893    31.07    6.129 
14*      -10.2856     0.8532     1.72916    54.68    6.048 
15     -1373.0337     可変                           6.187 
16(絞り)    ∞        6.7347                         (可変) 
17*       24.6873     2.4399     1.58913    61.25    7.014 
18*     -368.8963     0.1500                         7.300 
19        30.2530     3.1460     1.61800    63.33    7.355 
20       -23.0699     0.9000     1.90366    31.32    7.351 
21       438.5839     可変                           7.452 
22*       23.4072     9.1342     1.49700    81.61    7.767 
23*      -25.6241     5.3800                         7.100 
24       -34.6912     4.2304     1.53172    48.84    6.845 
25       -15.1642     1.2000     1.88300    40.76    6.969 
26      -386.4639     3.1186     1.69895    30.13    7.323 
27       -78.0172     可変                           7.708 
28          ∞        4.0000     1.51633    64.14   12.000 
29          ∞        0.7450                        12.000 
像面（撮像面）∞
非球面データ
第７面
k=2957.111,A4=2.74897e-05,A6=-2.31031e-07,A8=7.95684e-10
第８面
k=-0.644,A4=5.22147e-05,A6=5.10310e-08,A8=-1.57179e-09
第１３面
k=0.000,A4=4.88971e-06,A6=-1.14353e-07
第１４面
k=0.000,A4=-5.60472e-05,A6=2.18529e-06
第１７面
k=-1.257,A4=4.80756e-06,A6=-2.60055e-07,A8=3.00456e-09,A10=-1.02819e-10
第１８面
k=-2195.350,A4=5.38982e-06,A6=-2.15912e-07,A8=3.28750e-09,A10=-1.09911e-10
第２２面
k=1.755,A4=1.54149e-05,A6=3.03258e-07,A8=1.72256e-09,A10=-2.02999e-12
第２３面
k=-0.358,A4=1.01498e-04,A6=6.06222e-07,A8=-2.38187e-11,A10=7.96386e-11
各種データ
ズーム比      10.327 
広角     中間      望遠 
焦点距離         14.188    46.281   146.527
ＦＮＯ．          4.081     5.624     5.772
画角２ω         81.235    26.955     8.580
像高             11.150    11.150    11.150
BF               16.200    37.749    48.866
レンズ全長      100.363   128.830   159.642 
物点距離           ∞        ∞        ∞  
d6                0.600    21.034    43.881
d12               3.029     2.912     6.323
d15              11.864     7.062     1.172
d21               4.855     2.146     1.521
d27              12.817    34.366    45.483
絞り径            3.993     5.451     6.406 
入射瞳位置       23.952    69.904   235.025
射出瞳位置      -30.504   -19.579   -18.998
前側主点位置     33.830    78.822    65.183
後側主点位置    -13.443   -45.536  -145.782
レンズ   始面     焦点距離
L1       1     -122.486     
L2       3       93.704     
L3       5       94.155     
L4       7      -16.601     
L5       9      -26.673     
L6      11       18.114     
L7      13       32.690     
L8      14      -14.216     
ズームレンズ群データ
群  始面   群焦点距離   群構成長  前側主点位置  後側主点位置
G1    1     78.764       13.646        3.254      -5.609 
G2    7    -34.960       11.296       -5.888     -18.162 
G3   13    -23.628        2.439        0.069      -1.361 
G4   16     30.824        6.636       -0.477      -4.443 
G5   22     51.243       23.063      -10.553     -22.935 
群倍率
広角     中間      望遠 
G1                0.000     0.000     0.000
G2               -0.804    -1.517  -173.625 
G3                0.219     0.178     0.004 
G4               -4.332    11.814     6.955 
G5                0.236    -0.184    -0.401
【０２１６】
数値実施例９
単位ｍｍ
面データ
面番号       r          d          nd        νd      ER
物面        ∞          ∞
1         73.9302     2.1000     1.80000    29.84   22.000 
2         40.9035     0.3000                        21.062 
3         40.4114     7.1510     1.49700    81.54   21.103 
4        495.9819     0.1500                        20.884 
5         50.1867     4.8618     1.61800    63.33   20.200 
6        262.5220     可変                          19.884 
7*      -698.1634     1.2000     1.80610    40.73   11.001 
8*        12.2640     5.4900                         8.411 
9        -45.3052     0.9000     1.80610    40.92    7.894 
10        62.3258     0.1500                         7.683 
11        22.5487     3.8729     1.80518    25.42    7.600 
12       -32.3052     可変                           7.328 
13*      -16.5286     0.5943     1.63387    23.38    6.024 
14       -13.3269     0.5808     1.69680    55.53    5.983 
15      -932.4168     可変                           6.179 
16(絞り)    ∞        8.5943                         (可変) 
17*       24.9410     2.4958     1.58913    61.25    6.867 
18*     -365.2368     0.1500                         7.300 
19        30.9852     3.4724     1.61800    63.33    7.291 
20       -21.9888     0.9000     1.90366    31.32    7.267 
21       433.4589     2.5363                         7.349 
22*       24.3808     8.3921     1.49700    81.61    7.679 
23*      -25.6069     5.3800                         7.100 
24       -31.6370     3.9973     1.53172    48.84    6.798 
25       -14.8445     1.2000     1.88300    40.76    6.918 
26      -130.7616     2.8597     1.69895    30.13    7.264 
27       -72.2106     可変                           7.624 
28          ∞        4.0000     1.51633    64.14   12.000 
29          ∞        0.7450                        12.000 
像面（撮像面）∞
非球面データ
第７面
k=3425.930,A4=2.18362e-05,A6=-9.80298e-08,A8=3.60665e-10
第８面
k=-0.517,A4=3.70362e-05,A6=1.83910e-07,A8=7.64526e-10
第１３面
k=0.000,A4=5.65472e-07
第１７面
k=-7.988,A4=7.93184e-07,A6=-1.85356e-06,A8=5.92816e-09,A10=-4.61679e-11
第１８面
k=1411.903,A4=-7.04577e-05,A6=-2.03179e-06,A8=2.08230e-08,A10=-1.45959e-10
第２２面
k=0.124,A4=-1.31349e-05,A6=-2.77725e-07,A8=2.08564e-08,A10=-8.59325e-11
第２３面
k=-0.769,A4=7.81838e-05,A6=3.16953e-07,A8=2.67421e-09,A10=1.20019e-10
各種データ
ズーム比      10.154 
広角     中間      望遠 
焦点距離         14.492    46.229   147.155
ＦＮＯ．          4.081     5.624     5.772
画角２ω         77.092    26.790     8.542
像高             11.150    11.150    11.150
BF               17.280    36.215    48.364
レンズ全長      100.361   128.822   159.639 
物点距離           ∞        ∞        ∞  
d6                0.600    22.224    44.058
d12               3.037     2.538     6.540
d15              12.115     7.852     1.143
d27              13.897    32.832    44.981
絞り径            3.891     5.238     6.371 
入射瞳位置       24.422    73.406   226.649
射出瞳位置      -30.643   -19.911   -19.495
前側主点位置     34.532    81.558    54.695
後側主点位置    -13.747   -45.484  -146.410
レンズ   始面     焦点距離
L1       1     -117.781     
L2       3       88.065     
L3       5       99.532     
L4       7      -14.940     
L5       9      -32.424     
L6      11       17.029     
L7      13      101.246     
L8      14      -19.408     
ズームレンズ群データ
群  始面   群焦点距離   群構成長  前側主点位置  後側主点位置
G1    1     80.039       14.563        3.715      -5.778 
G2    7    -50.707       11.613      -12.142     -28.176 
G3   13    -23.602        1.175        0.028      -0.678 
G4   16     19.432       31.384       -1.974     -20.602 
群倍率
広角     中間      望遠 
G1                0.000     0.000     0.000
G2               -1.445    -3.764     6.064 
G3                0.132     0.080    -0.119 
G4               -0.949    -1.924    -2.549
【０２１７】
数値実施例１０
単位ｍｍ
面データ
面番号       r          d          nd        νd      ER
物面        ∞          ∞
1         74.1392     2.1000     1.80000    29.84   22.000 
2         41.6572     0.3000                        21.088 
3         41.5173     6.9930     1.49700    81.54   21.120 
4        365.8490     0.1500                        20.880 
5         47.8538     5.2111     1.61800    63.33   20.200 
6        257.2915     可変                          19.847 
7*      -697.3993     1.2000     1.80610    40.73   11.076 
8*        13.4466     5.4900                         8.597 
9        -38.1980     0.9000     1.80610    40.92    7.947 
10        52.2749     0.1500                         7.676 
11        23.9867     3.5113     1.80518    25.42    7.600 
12       -35.4412     可変                           7.364 
13*      -16.9814     0.8750     1.63387    23.38    6.111 
14       -11.7380     0.6282     1.69680    55.53    6.073 
15     -1530.6501     可変                           6.020 
16(絞り)    ∞        5.8379                         (可変) 
17*       23.6463     2.5536     1.58913    61.25    6.821 
18*     -338.1657     0.1500                         7.300 
19        29.7937     3.9559     1.61800    63.33    7.251 
20       -22.2012     0.9000     1.90366    31.32    7.226 
21       421.0923     可変                           7.313 
22*       23.7925     9.3091     1.49700    81.61    7.578 
23*      -25.9316     可変                           7.100 
24       -36.0761     3.5595     1.53172    48.84    6.922 
25       -15.6757     1.2000     1.88300    40.76    7.039 
26      -167.5830     2.6847     1.69895    30.13    7.386 
27       -76.0919     可変                           7.723 
28          ∞        4.0000     1.51633    64.14   12.000 
29          ∞        0.7450                        12.000 
像面（撮像面）∞
非球面データ
第７面
k=3450.136,A4=3.71156e-05,A6=-2.55911e-07,A8=8.00286e-10
第８面
k=-0.560,A4=5.29422e-05,A6=8.60412e-08,A8=-1.90633e-09
第１３面
k=0.000,A4=1.38659e-06
第１７面
k=-3.856,A4=1.15243e-06,A6=-9.76216e-07,A8=1.25498e-08,A10=-3.81068e-10
第１８面
k=23.671,A4=-2.49829e-05,A6=-8.89116e-07,A8=8.68373e-09,A10=-3.13067e-10
第２２面
k=2.157,A4=-4.70467e-06,A6=2.48265e-07,A8=3.84260e-10,A10=-6.63639e-13
第２３面
k=-0.768,A4=9.55429e-05,A6=5.31512e-07,A8=5.35369e-10,A10=4.15475e-11
各種データ
ズーム比      10.356 
広角     中間      望遠 
焦点距離         14.174    46.072   146.788
ＦＮＯ．          4.081     5.624     5.772
画角２ω         78.222    26.937     8.570
像高             11.150    11.150    11.150
BF               16.243    37.386    49.713
レンズ全長      100.368   128.830   159.643 
物点距離          ∞        ∞        ∞  
d6                0.600    21.018    43.803
d12               3.105     3.349     5.992
d15              12.502     6.720     1.160
d21               5.007     2.222     1.476
d23               5.252     5.406     4.878
d27              12.860    34.003    46.330
絞り径            4.007     5.263     6.234 
入射瞳位置       24.856    71.193   234.841
射出瞳位置      -30.315   -20.194   -19.200
前側主点位置     34.714    80.401    68.963
後側主点位置    -13.429   -45.327  -146.043
レンズ   始面     焦点距離
L1       1     -122.368     
L2       3       93.559     
L3       5       94.230     
L4       7      -16.353     
L5       9      -27.259     
L6      11       18.247     
L7      13       56.326     
L8      14      -16.979     
ズームレンズ群データ
群  始面   群焦点距離   群構成長  前側主点位置  後側主点位置
G1    1     78.784       14.754        3.630      -5.964 
G2    7    -34.285       11.251       -5.722     -17.882 
G3   13    -23.627        1.503        0.058      -0.847 
G4   16     29.582        7.559       -0.693      -5.157 
G5   22     26.620        9.309        3.173      -3.458 
G6   24    -37.739        7.444        0.229      -4.396 
群倍率
広角     中間      望遠 
G1                0.000     0.000     0.000
G2               -0.785    -1.475   -75.655 
G3                0.223     0.182     0.009 
G4               -4.071    11.953     7.304 
G5                0.163    -0.086    -0.157 
G6                1.547     2.107     2.434
【０２１８】
次に、各実施例における条件式の値を掲げる。
条件式                実施例１    実施例２    実施例３    実施例４    実施例５
(1)ＳＦ３ｐ=(ｒ１３ｐ＋ｒ２３ｐ)/(ｒ１３ｐ−ｒ２３ｐ）
5.355       5.508       5.386       5.647       5.613  
(2)ＳＦ３ｎ=（ｒ１３ｎ＋ｒ２３ｎ)/(ｒ１３ｎ−ｒ２３ｎ）
-1.016      -1.050      -1.024      -1.023      -1.021   
(3)ＡＳＰ３１/ＥＲ     0.00090     0.00079     0.00136     0.00114     0.00110 
(4)Ｐｅｒ/Ｐ０ 
(5)|ｆ３|/ｆｔ         0.161       0.160       0.161       0.161       0.161   
(6)ＳＦ４ｐ=(ｒ１４ｐ＋ｒ２４ｐ)/(ｒ１４ｐ−ｒ２４ｐ) 
-0.863      -0.726      -0.873      -0.872      -0.873    
条件式                実施例６    実施例７    実施例８    実施例９    実施例１０
(1)ＳＦ３ｐ=(ｒ１３ｐ＋ｒ２３ｐ)/(ｒ１３ｐ−ｒ２３ｐ）
5.505       3.940       3.759       9.325       5.477
(2)ＳＦ３ｎ=（ｒ１３ｎ＋ｒ２３ｎ)/(ｒ１３ｎ−ｒ２３ｎ）
-1.023      -1.016      -1.015      -1.029      -1.015 
(3)ＡＳＰ３１/ＥＲ     0.00103     0.00084     0.00016     0.00012     0.00032
(4)Ｐｅｒ/Ｐ０                                 0.950
(5)|ｆ３|/ｆｔ         0.161       0.161       0.161       0.160       0.161   
(6)ＳＦ４ｐ=(ｒ１４ｐ＋ｒ２４ｐ)/(ｒ１４ｐ−ｒ２４ｐ) 
-0.880      -0.877      -0.875      -0.872      -0.869  
【０２１９】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２２０】
図２１〜図２３に本発明による結像光学系をデジタルカメラの撮影光学系４１に組み込んだ構成の概念図を示す。図２１はデジタルカメラ４０の外観を示す前方斜視図、図２２は同後方斜視図、図２３はデジタルカメラ４０の光学構成を示す断面図である。
【０２２１】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１の結像光学系４８を通して撮影が行われる。
【０２２２】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２２３】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０２２４】
このように構成されたデジタルカメラ４０によれば、撮影光学系４１の構成枚数を少なくした小型化・薄型化の結像光学系を有する電子撮像装置が実現できる。なお、本発明は、上述した沈胴式のデジタルカメラに限られず、屈曲光学系を採用する折り曲げ式のデジタルカメラにも適用できる。
【０２２５】
次に、本発明の結像光学系が対物光学系として内蔵された情報処理装置の一例であるパソコンを図２４〜図２６に示す。図２４はパソコン３００のカバーを開いた状態の前方斜視図、図２５はパソコン３００の撮影光学系３０３の断面図、図２６は図２４の側面図である。図２４〜図２６に示されるように、パソコン３００は、キーボード３０１と、情報処理手段や記録手段と、モニター３０２と、撮影光学系３０３とを有している。
【０２２６】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２２７】
この撮影光学系３０３は、撮影光路３０４上に、例えば実施例１の結像光学系からなる対物光学系１００と、像を受光する電子撮像素子チップ１６２とを有している。これらはパソコン３００に内蔵されている。
【０２２８】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図２４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２２９】
次に、本発明の結像光学系が撮影光学系として内蔵された情報処理装置の一例である電話、特に持ち運びに便利な携帯電話を図２７に示す。図２７（a）は携帯電話４００の正面図、図２７（b）は側面図、図２７（c）は撮影光学系４０５の断面図である。図２７（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２３０】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０２３１】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１の結像光学系が用いられる。これらは、携帯電話４００に内蔵されている。
【０２３２】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０２３３】
なお、本発明は、その趣旨を逸脱しない範囲で様々な変形例をとることができる。
【符号の説明】
【０２３４】
Ｇ１          第１レンズ群
Ｇ２          第２レンズ群
Ｇ３          第３レンズ群
Ｇ４          第４レンズ群
Ｇ５          第５レンズ群
Ｇ６          第６レンズ群
Ｌ１〜Ｌ１５        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          結像光学系
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2012008238.tif 000003
【図２】
2012008238.tif 000004
【図３】
2012008238.tif 000005
【図４】
2012008238.tif 000006
【図５】
2012008238.tif 000007
【図６】
2012008238.tif 000008
【図７】
2012008238.tif 000009
【図８】
2012008238.tif 000010
【図９】
2012008238.tif 000011
【図１０】
2012008238.tif 000012
【図１１】
2012008238.tif 000013
【図１２】
2012008238.tif 000014
【図１３】
2012008238.tif 000015
【図１４】
2012008238.tif 000016
【図１５】
2012008238.tif 000017
【図１６】
2012008238.tif 000018
【図１７】
2012008238.tif 000019
【図１８】
2012008238.tif 000020
【図１９】
2012008238.tif 000021
【図２０】
2012008238.tif 000022
【図２１】
2012008238.tif 000023
【図２２】
2012008238.tif 000024
【図２３】
2012008238.tif 000025
【図２４】
2012008238.tif 000026
【図２５】
2012008238.tif 000027
【図２６】
2012008238.tif 000028
【図２７】
2012008238.tif 000029